(57)【特許請求の範囲】
【請求項１】
送信局において複数のデータのそれぞれに誤り検出符号を付加する工程と、それら誤り検出符号が付加された複数のデータを、それぞれ互いに異なる無線周波数を用いて送信局から受信局へ送信する工程と、受信局においてそれら複数のデータの各々についての誤り検出をそれら複数のデータの各々に付加された誤り検出符号に基づいて行う工程と、それら複数のデータの各々についての誤り検出結果を受信局から送信局へ送信する工程と、送信局において上記誤り検出結果に基づき上記データの受信局への再送を行う工程とを含み、
上記誤り検出結果を送信する工程は、送信局から送信される複数のデータの各々についてＡＣＫ／ＮＡＫ信号を送信局へ送信する工程であり、
上記送信局は、送信局から送信された複数のデータの総データ量と、受信局からＡＣＫ信号が受信された複数のデータの総データ量との差に基づき、新たなデータの送信を中止することを特徴とする無線通信方法。
【請求項２】
上記送信局は、新たなデータの送信の上記中止の後、SR(selective-Repeat)方式またはGTN(Go-to-N)方式による再送を行うことを特徴とする請求項１に記載の無線通信方法。
【請求項３】
上記再送する工程は、再送すべきデータを、そのデータの前回の送信のために用いた無線周波数とは異なる無線周波数を用いて送信することを特徴とする請求項１に記載の無線通信方法。
【請求項４】
上記送信する工程において、上記複数のデータは互いにデータ量が異なることを特徴とする請求項１に記載の無線通信方法。
【請求項５】
上記複数のデータの各々は、一つ又は複数のデータブロックからなり、各データに含まれるデータブロック数を制御する工程を更に備えたことを特徴とする請求項１に記載の無線通信方法。
【請求項６】
上記誤り検出結果を送信局へ送信する工程は、互いに異なる無線周波数を用いて送信局から受信局へ送信された複数のデータの各々についての上記ＡＣＫ／ＮＡＫ信号を、同一の無線周波数を用いて受信局から送信局へ送信する工程であることを特徴とする請求項１に記載の無線通信方法。
【請求項７】
上記誤り検出結果を送信局へ送信する工程は、送信局から送信される複数のデータの各々についての上記ＡＣＫ／ＮＡＫ信号を、互いに異なる拡散符号で符号多重して送信する工程であることを特徴とする請求項１に記載の無線通信方法。
【請求項８】
上記誤り検出結果を送信局へ送信する工程は、送信局から送信される複数のデータの各々についての上記ＡＣＫ／ＮＡＫ信号に対して誤り検出符号を付加して送信することを特徴とする請求項１に記載の無線通信方法。
【請求項９】
送信局は、上記ＡＣＫ／ＮＡＫ信号に対して付加された上記誤り検出符号により、誤りが検出された場合には、上記ＡＣＫ／ＮＡＫ信号に対応する全てのデータを、受信局へ再送することを特徴とする請求項８に記載の無線通信方法。
【請求項１０】
受信局は、受信局毎に、上記ＡＣＫ／ＮＡＫ信号を送信局へ送信する無線周波数を選択可能であることを特徴とする請求項１に記載の無線通信方法。
【請求項１１】
送信局は、受信局から送信される上記ＡＣＫ／ＮＡＫ信号に基づいて、受信局へ複数のデータを送信するために用いられる複数の上記無線周波数のうちの少なくとも一つの無線周波数を変更することを特徴とする請求項１に記載の無線通信方法。
【発明の詳細な説明】
【技術分野】
【０００１】
本発明は、無線通信方法、特に一対の通信局間において個別物理チャネル及びシェアド物理チャネルを用いて通信するＣＤＭＡ無線通信方法に関する。
【背景技術】
【０００２】
携帯電話に代表される移動体無線通信方式として、第３世代と称される複数の通信方式がＩＴＵ（国際電気通信連合）においてＩＭＴ―２０００として採用され、そのうち、Ｗ−ＣＤＭＡ（Wideband Code Division Multiple Access）方式については、２００１年に日本において商用サービスが開始されている。
Ｗ−ＣＤＭＡ方式は、移動局当り最大２Ｍｂｐｓ（bit per second）程度の通信速度が得られることを目的として開発され、規格化団体である３ＧＰＰ（3rd Generation Partnership Project）において、１９９９年にまとめられた規格のバージョンであるリリース９９（Release1999）版が最初の仕様として決定されている。【０００３】
このＷＣＤＭＡ方式では、基地局から移動局への通信のために、下りＤＰＣＨ（downlink Dedicated Physical Channel）と呼ばれる個別物理チャネルが各移動局に対して個別に割り当てられる。下りＤＰＣＨには、上位レイヤの下りトランスポートチャネルＤＣＨ(Dedicated Channel)からのデータがマッピングされる。【０００４】
一方、ＷＣＤＭＡ方式を拡張したものとして、ＨＳＤＰＡ（High speed Downlink Packet Access）方式と呼ばれる通信技術の開発が進んでいる。このＨＳＤＰＡ方式は、前述の規格化団体３ＧＰＰにおいて、リリース５（Release 5）やリリース６（Release 6）等において、まとめられているものであり、更に高速な通信速度（例えば最大１４Ｍｂｐｓ）を得ることを目的としている。【０００５】
ＨＳＤＰＡ方式では、上述のＷＣＤＭＡ方式に比べて、ＨＳ−ＰＤＳＣＨ（High speed Physical Downlink Shared Channel）、ＨＳ−ＳＣＣＨ（HS-DSCH-related Shared Control Channel）、ＨＳ−ＤＰＣＣＨ（Dedicated Physical Control Channel (uplink) for HS-DSCH）などの物理チャンネルが追加的に利用可能となっている。【０００６】
ＨＳ−ＰＤＳＣＨは、基地局から移動局への下りＤＰＣＨに付随して、基地局から移動局へデータを伝送するために用いられる下りシェアド・データチャネルであり、ＨＳ−ＳＣＣＨは、ＨＳ−ＰＤＳＣＨを受信するために必要な制御情報を、基地局から移動局へ伝送するための下りシェアド・制御チャネルである。ＨＳ−ＤＰＣＣＨは、移動局におけるＨＳ−ＰＤＳＣＨの受信結果などを、移動局から基地局へ伝送するための上り個別制御チャネルである。【０００７】
物理チャネルＨＳ−ＰＤＳＣＨには、上位レイヤのトランスポートチャネルＨＳ−ＤＳＣＨ(High Speed Downlink Shared Channel)からのデータがマッピングされる。このトランスポートチャネルＨＳ−ＤＳＣＨは、複数の移動局によって共有(shared)される下りトランスポートチャネルであり、このトランスポートチャネルＨＳ−ＤＳＣＨは、一つの下りＤＰＣＨ、および、一つ又は複数のＨＳ−ＳＣＣＨに付随して用いられる。【０００８】
トランスポートチャネルＨＳ−ＤＳＣＨは、一つ又は複数のＨＳ−ＰＤＳＣＨにマッピングされる。
トランスポートチャネルＨＳ−ＤＳＣＨがマッピングされる一つ又は複数のＨＳ−ＰＤＳＣＨの各々のチャネライゼーションコードについての情報は、チャネライゼーションコードセット情報として、ＨＳ−ＳＣＣＨのサブフレーム内に含められ、基地局から移動局へ送信される。移動局におけるＨＳ−ＰＤＳＣＨの受信結果についての情報は、個別物理制御チャネルＨＳ−ＤＰＣＣＨによって、移動局から基地局へ送信される。【０００９】
図１〜図４はそれぞれ、上述の下りＤＰＣＨ、ＨＳ−ＰＤＳＣＨ、ＨＳ−ＳＣＣＨ、およびＨＳ−ＤＰＣＣＨの無線フォーマットを例示する図である。ここでは、１無線フレームの時間長は１０ｍｓｅｃであり、１無線フレームは１５個のタイムスロットに分割されている。また、１サブフレームの時間長は２ｍｓｅｃであり、１サブフレームは３つのタイムスロットに相当する。また、１タイムスロットは拡散コードの２５６０ｃｈｉｐに相当する。【００１０】
図１は、下りＤＰＣＨの無線フォーマットを例示する図である。図１において、下りＤＰＣＨは、下りＤＰＤＣＨ（Dedicated Physical Data Channel）と呼ばれるデータチャネル、及び／又は、下りＤＰＣＣＨ（Dedicated Physical Control Channel）と呼ばれる制御チャネルからなっている。下りＤＰＣＨは、各移動局に個別に割り当てられる下り個別物理チャネルである。
図１において、Data1及びData2はトランスポートチャネルＤＣＨからＤＰＣＨにマッピングされるデータ、TPCは送信電力制御(Transmit Power Control)情報、TFCIはトランスポートフォーマット統合判別子(Transport Format Combination Indicator)、Pilotはパイロット制御情報、slot#0〜slot#14は１無線フレーム(radio frame)を１５等分してなるスロットである。ＤＰＣＨの１送信時間間隔(Transmission Time Interval)は例えば１フレームの時間長である10msecの整数倍である。【００１１】
図２は、ＨＳ−ＰＤＳＣＨの無線フォーマットを例示する図である。一つの基地局の一つのセル又は一つのセクタに対して、複数のＨＳ−ＰＤＳＣＨを設けることが可能であり、各ＨＳ−ＰＤＳＣＨは、互いに異なるチャンネライゼーションコード（Channelization code）を用いて符号拡散される。このようなＨＳ−ＰＤＳＣＨは、一つの基地局又は一つのセクタ内の複数の移動局によって共有することが可能である。
図２において、DataはトランスポートチャネルＨＳ−ＤＳＣＨからＨＳ−ＰＤＳＣＨにマッピングされるデータである。１サブフレーム(subframe)は、１無線フレームの５分の１の時間長を有している。slot#0〜slot#2は１サブフレームを３等分してなるスロットである。ＨＳ−ＰＤＳＣＨの１送信時間間隔は例えば１サブフレームの時間長である2msecである。
１サブフレーム期間において、一つの移動局のために、複数のＨＳ−ＰＤＳＣＨを同時に利用する多重符号送信（Multi-code transmission）を行うことも可能である。【００１２】
図３は、ＨＳ−ＳＣＣＨの無線フォーマットを例示する図である。ＨＳ−ＳＣＣＨは、ＨＳ−ＤＳＣＨを受信するために必要な情報を伝送するために用いられる。一つの基地局の一つのセル又は一つのセクタに対して、複数のＨＳ−ＳＣＣＨを設けることが可能であり、それら複数のＨＳ−ＳＣＣＨは、互いに異なるチャンネライゼーションコードを用いて符号拡散される。一つの移動局は、それら複数のＨＳ−ＳＣＣＨのうちのいくつかを同時に監視することが可能である。各ＨＳ−ＳＣＣＨは、サブフレーム毎に、一つの移動局のための一つ又は複数のＨＳ−ＰＤＳＣＨを受信するために必要な情報を伝送する。
図３において、Dataは一つの移動局のための一つ又は複数のＨＳ−ＰＤＳＣＨを受信するために必要な情報である。１サブフレームは、１無線フレームの５分の１の時間長を有している。slot#0〜slot#2は１サブフレームを３等分してなるスロットである。ＨＳ−ＳＣＣＨの１送信時間間隔は例えば１サブフレームの時間長である2msecである。【００１３】
例えば、一つの移動局は、互いに異なるチャネライゼーションコードにより拡散された４個のＨＳ−ＳＣＣＨを同時に監視し、これら４個のＨＳ−ＳＣＣＨにより送信される複数のサブフレームの中から、自局のためのサブフレームを選択する。自局のためのサブフレーム中には、自局のために利用される１５個のＨＳ−ＰＤＳＣＨの各々のチャネライゼーションコードについての情報が、チャネライゼーションコードセット（Channelization code set）として含められており、移動局は当該チャネライゼーションコードセットに基づいて、自局のために利用される１５個のＨＳ−ＰＤＳＣＨを受信する。【００１４】
図４は、ＨＳ−ＤＰＣＣＨの無線フォーマットを例示する図である。ＨＳ−ＤＰＣＣＨは、移動局が基地局へＨＳ−ＰＤＳＣＨの受信結果を通知するために用いられる。このＨＳ−ＤＰＣＣＨは、各移動局に個別に割り当てられる上り個別物理チャネルである。
図４において、HARQ-ACKは移動局におけるＨＳ−ＰＤＳＣＨの受信結果に対応するＡＣＫ／ＮＡＫ（Acknowledgement/Negative acknowledgment）信号、CQIは移動局において測定又は推定されるＨＳ−ＰＤＳＣＨのチャネル品質に対応するチャネル品質判別子（Channel-Quality Indication）である。【００１５】
一つの基地局と一つの移動局との間の通信において、図１〜図３に示した下り物理チャネル、即ち図１に示した下りＤＰＣＨ、図２に示したＨＳ−ＰＤＳＣＨ、および図３に示したＨＳ−ＳＣＣＨは、同一無線周波数上に符号多重される。
更に詳しくは、一つの基地局と一つの移動局との間の通信において、当該移動局に割り当てられる下りＤＰＣＨ、当該移動局のために利用される全てのＨＳ−ＰＤＳＣＨ、および当該移動局が監視する全てのＨＳ−ＳＣＣＨは、同一無線周波数上に符号多重される。【００１６】
以上のようなＷＣＤＭＡ（ＨＳＤＰＡ）方式の通信では、一つの基地局から一つの移動局へのデータ伝送のためにＨＳ−ＰＤＳＣＨのようなシェアド物理チャネルを用いる場合に、当該シェアド物理チャネルが設けられる無線周波数において無線伝搬環境が悪化した場合に、当該シェアド物理チャネルのスループットが低下し、当該基地局から当該移動局へのデータ伝送が遅延する、または中断するなどの問題があった。【００１７】
また、一つの基地局と一つの移動局との間において、ＤＰＣＨのような個別物理チャネルと、当該下りＤＰＣＨに付随するＨＳ−ＰＤＳＣＨのようなシェアド物理チャネルとを用いる場合に、それら個別物理チャネルとシェアド物理チャネルとを同一無線周波数上に符号多重しなければならないため、当該個別物理チャネルが設けられる無線周波数において無線伝搬環境が悪化した場合に、当該個別物理チャネル及び／又は当該シェアド物理チャネルのスループットが低下し、当該基地局から当該移動局へのデータ伝送が遅延する、または中断するなどの問題があった。
【特許文献１】特開２００３−９２４０号公報
【非特許文献１】ARIB STD-T64-C.S0002-B Physical Layer Standards for cdma2000 Spread Spectrum Systems 3.1.3.1.1.2
【非特許文献２】3rd Generation Partnership Project;  Technical Specification Group Radio Access Network;  Multiplexing and channel coding(FDD) (Release6)  3GPP TS25.211 V6.3.0(2004-12)（http://www.3gpp.org/ftp/Specs/2004-12/Rel-6/25_series/25211-630.zip）
【非特許文献３】3rd Generation Partnership Project;  Technical Specification Group Radio Access Network;  Multiplexing and channel coding(FDD) (Release6)  3GPP TS25.212 V6.3.0(2004-12)（http://www.3gpp.org/ftp/Specs/2004-12/Rel-6/25_series/25212-630.zip）
【非特許文献４】3rd Generation Partnership Project;  Technical Specification Group Radio Access Network;  Multiplexing and channel coding(FDD) (Release6)  3GPP TS25.214 V6.4.0(2004-12)（http://www.3gpp.org/ftp/Specs/2004-12/Rel-6/25_series/25214-640.zip）
【非特許文献５】3rd Generation Partnership Project;  Technical Specification Group Radio Access Network;  Multiplexing and channel coding(TDD) (Release6)  3GPP TS25.222 V6.2.0(2004-12)(http://www.3gpp.org/ftp/Specs/2004-12/Rel-6/25_series/25222-620.zip)
【発明の開示】
【発明が解決しようとする課題】
【００１８】
本発明は、以上のような事情に鑑みてなされたものであり、送信局から受信局へのデータ伝送のために用られる無線周波数における無線伝搬環境が悪化した場合であっても、それら送信局から受信局へのスループットが低下し難い送信局、受信局、および無線通信方法を提供する。【００１９】
特に、一つの送信局から一つの受信局へのデータ伝送のために、一つの物理チャネルとその他の物理チャネルとを含む複数の物理チャネルを用いる場合に、当該一つの物理チャネルが設けられる無線周波数において無線伝搬環境が悪化した場合であっても、当該その他の物理チャネルのスループットが低下し難い送信局、受信局、および無線通信方法を提供する。【００２０】
特に、一つの送信局から一つの受信局へのデータ伝送のためにＨＳ−ＰＤＳＣＨのようなシェアド物理チャネルを用いる場合において、当該シェアド物理チャネルが設けられる無線周波数における無線伝搬環境が悪化した場合であっても、当該送信局から当該受信局へのデータ伝送が遅延し難い送信局、受信局、およびＣＤＭＡ無線通信方法を提供する。
【課題を解決するための手段】
【００２３】
本発明による無線通信方法においては、送信局において複数のデータのそれぞれに誤り検出符号を付加する工程と、それら誤り検出符号が付加された複数のデータを、それぞれ互いに異なる無線周波数を用いて送信局から受信局へ送信する工程と、受信局においてそれら複数のデータの各々についての誤り検出をそれら複数のデータの各々に付加された誤り検出符号に基づいて行う工程と、それら複数のデータの各々についての誤り検出結果を受信局から送信局へ送信する工程と、送信局において上記誤り検出結果に基づき上記データの受信局への再送を行う工程とを備える。
【発明の効果】
【００２６】
また、本発明による無線通信方法は、送信局において複数のデータのそれぞれに誤り検出符号を付加する工程と、それら誤り検出符号が付加された複数のデータを、それぞれ互いに異なる無線周波数を用いて送信局から受信局へ送信する工程と、受信局においてそれら複数のデータの各々についての誤り検出をそれら複数のデータの各々に付加された誤り検出符号に基づいて行う工程と、それら複数のデータの各々についての誤り検出結果を受信局から送信局へ送信する工程と、送信局において上記誤り検出結果に基づき上記データの受信局への再送を行う工程とを備えるので、無線伝搬環境によって送信局から受信局へのスループットが低下し難い無線通信方法を得ることができる。
【図面の簡単な説明】
【００２７】
【図１】従来の下りＤＰＣＨの無線フォーマットを例示する図である。
【図２】従来のＨＳ−ＰＤＳＣＨの無線フォーマットを例示する図である。
【図３】従来のＨＳ−ＳＣＣＨの無線フォーマットを例示する図である。
【図４】従来のＨＳ−ＤＰＣＣＨの無線フォーマットを例示する図である。
【図５】実施の形態１に係る基地局を例示する構成図である。
【図６】実施の形態１に係る移動局を例示する構成図である。
【図７】図５に示した第１及び第２マッピング部の構成を例示する図である。
【図８】図７に示した符号化部３０４ａの構成を例示する図である。
【図９】図７に示したハイブリッドＡＲＱ機能部の構成を例示する図である。
【図１０】図７に示したインターリーブ部３０７ａの構成を例示する図である。
【図１１】図５に示した送信データ管理部１０２の構成を例示する図である。
【図１２】図５に示した送信データ管理部１０２の他の構成を例示する図である。
【図１３】図５に示した送信データ管理部１０２の他の構成を例示する図である。
【図１４】図５に示した送信データ管理部１０２の他の構成を例示する図である。
【図１５】実施の形態２に係る基地局を例示する構成図である。
【図１６】実施の形態２に係る移動局を例示する構成図である。
【図１７】実施の形態３に係るＡＣＫ／ＮＡＫ信号の送信方法を例示する図である。
【図１８】実施の形態４に係る基地局を例示する構成図である。
【図１９】実施の形態４に係る移動局を例示する構成図である。
【図２０】図１８に示した送信データ管理部１０２１を例示する構成図である。
【図２１】実施の形態４に係るＡＣＫ／ＮＡＫ信号の送信方法を例示する図である。
【図２２】図２０に示した送信データ管理部１０２１の別の構成を例示する図である。
【図２３】実施の形態４に係る基地局の別の構成を例示する図である。
【図２４】実施の形態４に係る移動局の別の構成を例示する図である。
【図２５】実施の形態９に係るＡＣＫ／ＮＡＫ信号の送信方法を例示する図である。
【図２６】実施の形態９に係るＡＣＫ／ＮＡＫ信号の別の送信方法を例示する図である。
【図２７】実施の形態１０に係る基地局の構成を例示する図である。
【図２８】実施の形態１０に係る移動局の構成を例示する図である。
【図２９】実施の形態１０に係るＡＣＫ／ＮＡＫ情報信号を例示する図である。
【図３０】実施の形態１１に係るＡＣＫ／ＮＡＫ情報信号を例示する図である。
【図３１】実施の形態１２に係るＡＣＫ／ＮＡＫ情報信号を例示する図である。
【図３２】実施の形態１３に係るＡＣＫ／ＮＡＫ情報信号を例示する図である。
【図３３】実施の形態１４に係るＡＣＫ／ＮＡＫ情報信号を例示する図である。
【図３４】実施の形態１５に係るＡＣＫ／ＮＡＫ情報信号を例示する図である。
【図３５】実施の形態１６に係るＡＣＫ／ＮＡＫ情報信号を例示する図である。
【図３６】実施の形態１７に係るＡＣＫ／ＮＡＫ情報信号を例示する図である。
【図３７】実施の形態１８に係るＡＣＫ／ＮＡＫ情報信号を例示する図である。
【図３８】実施の形態１９に係るＣＤＭＡ無線通信システムを例示する図である。
【図３９】図３８に示す基地局３８０１における送信電力を例示する図である。
【図４０】図３８に示す基地局３８０１における受信電力を例示する図である。
【図４１】実施の形態２０に係るＯＦＤＭを用いた無線通信方法を例示する図である。
【符号の説明】
【００２８】
１  基地局、      ２  移動局      １０１  送信データバッファ、
１０２  送信データ管理部      １０３ａ  第１マッピング部、
１０３ｂ  第２マッピング部、
【発明を実施するための最良の形態】
【００２９】
実施の形態１．
図５及び図６は、本実施の形態１におけるＣＤＭＡ無線通信システムを例示する構成図である。図において、１は基地局であり、２は基地局１のカバーする通信エリア（所謂、セル又はセクタ）内に位置して、基地局１と通信を行う移動局である。【００３０】
基地局１は、送信データバッファ部１０１と、送信データ管理部１０２と、第１及び第２マッピング部１０３ａ,１０３ｂと、符号拡散部１０４ａ,１０４ｂと、第１及び第２無線送信部１０５ａ,１０５ｂと、第１及び第２送信アンテナ部１０６ａ,１０６ｂと、第１及び第２受信アンテナ部１０７ａ,１０７ｂと、第１及び第２無線受信部１０８ａ,１０８ｂと、逆拡散部１０９ａ,１０９ｂと、復号化部１１０ａ,１１０ｂとを備える。【００３１】
移動局２は、第１及び第２受信アンテナ部２０１ａ,２０１ｂと、第１及び第２無線受信部２０２ａ,２０２ｂと、逆拡散部２０３ａ,２０３ｂと、第１及び第２逆マッピング部２０４ａ,２０４ｂと、第１及び第２誤り検出部２０５ａ,２０５ｂと、受信データ管理部２０６と、受信データバッファ２０７と、無線品質測定部２０８ａ,２０８ｂと、符号化部２０９ａ,２０９ｂと、符号拡散部２１０ａ,２１０ｂと、第１及び第２無線送信部２１１ａ,２１１ｂと、第１及び第２送信アンテナ部２１２ａ,２１２ｂとを備える。【００３２】
図５及び図６に示したＣＤＭＡ無線通信システムの動作について説明する。まず、基地局１から移動局２へ送信すべきデータが、基地局１の送信データバッファ部１０１に記憶される。この送信データバッファ部１０１に記憶されるデータは、例えば、移動局２以外の別装置から不図示の無線伝送路または有線伝送路を介して基地局１へ入力されたものである。【００３３】
送信データバッファ部１０１に記憶されたデータは、送信データ管理部１０２によって読み出され、互いに異なる無線周波数に対応する第１グループおよび第２グループに振り分けられる。【００３４】
送信データ管理部１０２から出力される第１グループのデータは、第１マッピング部１０３ａへ入力され、そこにおいて後述する第１符号化処理が施された後、一つ又は複数のシェアド物理チャネルへマッピングされる。この第１符号化処理には、第１グループのデータにＣＲＣ符号を付加する処理が含まれる。【００３５】
一方、送信データ管理部１０２から出力される第２グループのデータは、第２マッピング部１０３ｂへ入力され、そこにおいて上記第１符号化処理と同一又は異なる第２符号化処理が施された後、一つ又は複数のシェアド物理チャネルへマッピングされる。この第２符号化処理には、第２グループのデータにＣＲＣ符号を付加する処理が含まれる。【００３６】
第１マッピング部１０３ａにより第１グループのデータがマッピングされた一つ又は複数のシェアド物理チャネルは、不図示の処理部から出力されるその他のチャネル（例えば下り個別物理チャネル）と共に、符号拡散部１０４ａへ入力される。符号拡散部１０４ａは、それら入力された各チャネルを、チャネル毎に異なるチャネライゼーションコードにより符号拡散し、第１無線送信部１０５ａへ出力する。第１無線送信部１０５ａは、これら符号拡散された各チャネルを含む信号を、第１無線周波数にアップコンバートして、第１送信アンテナ部１０６ａを介して移動局２へ送信する。【００３７】
例えば、本実施の形態をＷＣＤＭＡに適用する場合には、符号拡散部１０４ａへ入力される一つ又は複数のシェアド物理チャネルとして、一つ又は複数のＨＳ−ＰＤＳＣＨを用いてもよく、符号拡散部１０４ａへ入力される個別物理チャネルとして、当該ＨＳ−ＰＤＳＣＨに対応するトランスポートチャネルＨＳ−ＤＳＣＨが付随する下りＤＰＣＨを用いてもよい。【００３８】
一方、第２マッピング部１０３ｂにより第２グループのデータがマッピングされた一つ又は複数のシェアド物理チャネルは、符号拡散部１０４ｂにおいて、チャネル毎に異なるチャネライゼーションコードにより符号拡散され、第２無線送信部１０５ｂへ出力される。第２無線送信部１０５ｂは、符号拡散部１０４ｂから入力される一つ又は複数のシェアド物理チャネルを含む信号を、第１無線周波数とは異なる第２無線周波数にアップコンバートして、第２送信アンテナ部１０６ｂを介して移動局２へ送信する。【００３９】
基地局１の第１無線送信部１０５ａから送信された信号は、基地局１の第１送信アンテナ部１０６ａ及び移動局２の第１受信アンテナ部２０１ａを介して、移動局２の第１無線受信部２０２ａにより受信される。第１無線受信部２０２ａは受信された信号をダウンコンバートして、ベースバンド信号に復調して逆拡散部２０３ａへ出力する。【００４０】
基地局１の第２無線送信部１０５ｂから送信された信号は、基地局１の第２送信アンテナ部１０６ｂ及び移動局２の第２受信アンテナ部２０１ｂを介して、移動局２の第２無線受信部２０２ｂにより受信される。第２無線受信部２０２ｂは受信した信号をダウンコンバートして、ベースバンド信号に復調して逆拡散部２０３ｂへ出力する。【００４１】
逆拡散部２０３ａは、第１無線受信機２０２ａから出力された信号を、当該信号に含まれる各チャネルのチャネライゼーションコードにより逆拡散することにより、当該信号に含まれる、一つ又は複数のシェアド物理チャネルおよび下り個別物理チャネルを抽出する。
逆拡散部２０３ａにより抽出された一つ又は複数のシェアド物理チャネルは、第１逆マッピング部２０４ａへ入力され、そこにおいて、第１マッピング部１０３ａにおける処理とは逆の処理が施されて、第１グループのデータへ復元される。【００４２】
第１逆マッピング部２０４ａからは、当該復元された第１グループのデータのほか、第１逆マッピング部２０４ａにおける逆処理の過程において第１グループのデータから分離されたＣＲＣ符号（即ち、第１マッピング部１０３ａにおいて第１グループのデータに付加されたＣＲＣ符号）が出力される。
第１逆マッピング部２０４ａから出力される第１グループのデータおよびＣＲＣ符号は、第１誤り検出部２０５ａへ入力され、そこにおいて、第１グループのデータのための誤り検出処理が行われる。更に詳しくは、第１誤り検出部２０５ａは、第１逆マッピング部２０４ａから出力される第１グループのデータが、誤りなく復元できているか否かを、第１逆マッピング部２０４ａから出力されるＣＲＣ符号に基づき判定し、誤りなく復元できていると判定される場合には、ＡＣＫ信号を符号化部２０９ａへ出力し、誤って復元されていると判定される場合には、ＮＡＫ信号を符号化部２０９ａへ出力する。また、第１誤り検出部２０５ａは、第１逆マッピング部２０４ａから出力される第１グループのデータに誤りがないと判定される場合には、当該第１グループのデータを受信データ管理部２０６へ出力する。【００４３】
逆拡散部２０３ａにより抽出された下り個別物理チャネルは、不図示の処理部へと出力され、そこにおいて所定の処理が施される。例えば、逆拡散部２０３ａにおいて下り個別物理チャネルＤＰＣＨが抽出され、不図示の処理部において当該ＤＰＣＨから音声信号や制御信号が抽出される。【００４４】
逆拡散部２０３ｂは、第２無線受信機２０２ｂから出力された信号を、当該信号に含まれる各チャネルのチャネライゼーションコードにより逆拡散することにより、当該信号に含まれる、一つ又は複数のシェアド物理チャネルを抽出する。
逆拡散部２０３ｂにより抽出された一つ又は複数のシェアド物理チャネルは、第２逆マッピング部２０４ｂへ入力され、そこにおいて、第２マッピング部１０３ｂにおける処理とは逆の処理が施されて、第２グループのデータへ復元される。【００４５】
第２逆マッピング部２０４ｂからは、当該復元された第２グループのデータのほか、第２逆マッピング部２０４ｂにおける逆処理の過程において第２グループのデータから分離されるＣＲＣ符号（即ち、第２マッピング部１０３ｂにおいて第２グループのデータに付加されたＣＲＣ符号）が出力される。
第２逆マッピング部２０４ｂから出力される第２グループのデータおよびＣＲＣ符号は、第２誤り検出部２０５ｂへ入力され、そこにおいて、第２グループのデータのための誤り検出処理が行われる。更に詳しくは、第２誤り検出部２０５ｂは、第２逆マッピング部２０４ｂから出力される第２グループのデータが、誤りなく復元できているか否かを、第２逆マッピング部２０４ｂから出力されるＣＲＣ符号に基づき判定し、誤りなく復元できていると判定される場合にはＡＣＫ信号を符号化部２０９ｂへ出力し、誤って復元されていると判定される場合にはＮＡＫ信号を符号化部２０９ｂへ出力する。また、第２誤り検出部２０５ｂは、第２逆マッピング部２０４ｂから出力される第２グループのデータが、誤りなく復元されていると判定される場合には、当該第２グループのデータを受信データ管理部２０６へ出力する。【００４６】
受信データ管理部２０６は、第１誤り検出部２０５ａにおいて誤りなく復元されたと判定された第１グループのデータと、第２誤り検出部２０５ｂにおいて誤りなく復元されたと判定された第２グループのデータとを、その順序を考慮して連結し、受信データバッファ部２０７へ出力する。【００４７】
無線品質測定部２０８ａは、第１受信アンテナ部２０１ａを介して受信される信号の受信電力等を測定することにより、基地局１と移動局２との間における第１無線周波数の無線伝搬環境を測定し、当該測定結果を所定のフォーマットの無線品質情報信号に変換して符号化部２０９ａへ出力する。【００４８】
例えば、基地局１は、既知のビット列を既知のチャネライゼーションコードを用いて符号拡散してなる基準信号を、第１無線周波数に符号多重して移動局２へ送信する。移動局２は、当該基準信号の移動局２における受信電力を無線品質測定部２０８ａにおいて測定し、当該測定結果に対応した所定のビット列を無線品質測定部２０８ａから符号化部２０９ａへ無線品質情報信号q1として出力する。ＷＣＤＭＡに本実施の形態を適用する場合には、当該基準信号として基地局１から送信されるＣＰＩＣＨ（Common Pilot Channel）を用いてもよく、無線品質情報信号q1として、移動局２における当該ＣＰＩＣＨの受信電力から推定されるＣＱＩ（Channel Quality indicator）値を用いてもよい。【００４９】
無線品質測定部２０８ｂは、無線品質測定部２０８ａと同様に、第２受信アンテナ部２０１ｂを介して受信される信号の受信電力等を測定することにより、基地局１と移動局２との間における第２無線周波数の無線伝搬環境を測定し、当該測定結果を所定のフォーマットに変換して、無線品質情報信号q2として符号化部２０ｂへ出力する。【００５０】
なお、移動局２の無線品質測定部２０８ａ，２０８ｂは、基地局１から送信されるＤＰＣＣＨ中に含まれるpilot信号を逆拡散して得られる、Rake合成前またはRake合成後の信号に基づいて、ＳＩＮＲやＳＩＲを測定し、その測定結果に基づき無線品質情報信号q1，q2を生成し、出力するようにしてもよい。即ち、移動局２の無線品質測定部２０８ａ，２０８ｂは、逆拡散部２０３a，２０３ｂにおける逆拡散結果に基づいて、無線品質情報信号q1，q2を生成するようにしてもよい。
また、移動局２の無線品質測定部２０８ａ，２０８ｂは、基地局１から受信された既知ビット列の移動局２におけるビット誤り数をカウントし、そのカウント結果に基づいて、無線品質情報信号q1，q2を生成してもよい。
また、移動局２の無線品質測定部２０８ａ，２０８ｂは、逆マッピング部２０４ａ，２０４ｂにおけるターボ符号化または畳み込み符号化の逆処理において誤り訂正を要したビット数をカウントし、そのカウント結果に基づいて無線品質情報信号q1，q2を生成するようにしてもよい。【００５１】
第１誤り検出部２０５ａから出力されるＡＣＫ／ＮＡＫ信号、および無線品質測定部２０８ａから出力される無線品質情報信号は、符号化部２０９ａへ出力され、そこにおいて、それぞれ同一又は異なる符号化方式にて符号化される。
第２誤り検出部２０５ｂから出力されるＡＣＫ／ＮＡＫ信号、および無線品質測定部２０８ｂから出力される無線品質情報信号は、符号化部２０９ｂへ出力され、そこにおいて、それぞれ同一又は異なる符号化方式にて符号化される。【００５２】
第１誤り検出部２０５ａから出力されるＡＣＫ／ＮＡＫ信号と、無線品質測定部２０８ａから出力される無線品質情報信号とは、必ずしもセットで符号化部２０９ａへ入力される必要はなく、第１誤り検出部２０５ａから符号化部２０９ａへＡＣＫ／ＮＡＫ信号が入力される期間において、無線品質測定部２０８ａから符号化部２０９ａへ無線品質情報信号が入力されない場合があってもよい。また同様に、第２誤り検出部２０５ｂから出力されるＡＣＫ／ＮＡＫ信号と、無線品質測定部２０８ｂから出力される無線品質情報信号とは、必ずしもセットで符号化部２０９ｂへ入力される必要はない。また、符号化部２０９ａへの入力タイミングと、符号化部２０９ｂへの入力タイミングとが必ずしも同時である必要はなく、符号化部２０９ａおよび符号化部２０９ｂの一方に入力が存在する期間において、他方に入力が存在しない場合があってもよい。
【００５３】
符号化部２０９ａから出力される、符号化されたＡＣＫ／ＮＡＫ信号および符号化された無線品質情報信号は、符号拡散部２１０ａにおいて同一又は異なるチャネライゼーションコードにより符号拡散され、第１無線送信部２１１ａへ出力される。第１無線送信部２１１ａは、当該符号拡散されたＡＣＫ／ＮＡＫ信号および無線品質情報信号を、第３無線周波数にアップコンバートして、第１送信アンテナ部２１２ａを介して基地局１へ送信する。
符号化部２０９ｂから出力される、符号化されたＡＣＫ／ＮＡＫ信号および符号化された無線品質情報信号は、符号拡散部２１０ｂにおいて同一又は異なるチャネライゼーションコードにより符号拡散され、第２無線送信部２１１ｂへ出力される。第２無線送信部２１１ｂは、当該符号拡散されたＡＣＫ／ＮＡＫ信号および無線品質情報信号を、第４無線周波数にアップコンバートして、第２送信アンテナ部２１２ｂを介して基地局１へ送信する。【００５４】
なお、符号拡散部２１０ａにおいて用いられるチャネライゼーションコードと符号拡散部２１０ｂにおいて用いられるチャネライゼーションコードとは、同一であってもよいし、異なってもよい。
また、本実施の形態をＷＣＤＭＡに適用する場合には、符号化されたＡＣＫ／ＮＡＫ信号および無線品質情報信号を送信するための第３無線周波数の物理チャネルとして、ＨＳ−ＤＰＣＣＨを用いてもよい。
図５及び図６において、第１無線送信部１０５ａにおいて用いられる第１無線周波数、第２無線送信部１０５ｂにおいて用いられる第２無線周波数、第１無線送信部２１１ａにおいて用いられる第３無線周波数、および、第２無線送信部２１１ｂにおいて用いられる第４無線周波数は、それぞれ互いに異なる無線周波数としてもよいし、第３無線周波数および第４無線周波数の各々を、第１無線周波数および第２無線周波数に一致させるようにしてもよい。【００５５】
移動局２の第１送信アンテナ部２１２ａから送信された信号は、基地局１の第１受信アンテナ部１０７ａを介して、基地局１の第１無線受信部１０８ａにより受信される。第１無線受信部１０８ａは受信した信号をダウンコンバートして、ベースバンド信号に復調し、逆拡散部１０９ａへ出力する。
移動局２の第２送信アンテナ部２１２ｂから送信された信号は、基地局１の第２受信アンテナ部１０７ｂを介して、基地局１の第２無線受信部１０８ｂにより受信される。第２無線受信部１０８ｂは受信した信号をダウンコンバートして、ベースバンド信号に復調して逆拡散部１０９ｂへ出力する。【００５６】
逆拡散部１０９ａは、第１無線受信部１０８ａから出力された信号を、移動局２の符号拡散部２１０ａにおいて用いられたのと同一の一つ又は複数のチャネライゼーションコードにより逆拡散して、復号化部１１０ａへ出力する。
逆拡散部１０９ｂは、第２無線受信部１０８ｂから出力された信号を、移動局２の符号拡散部２１０ｂにおいて用いられたのと同一の一つ又は複数のチャネライゼーションコードにより逆拡散して、復号化部１１０ｂへ出力する。【００５７】
復号化部１１０ａは、逆拡散部１０９ａからの出力信号を復号化することにより、移動局２の第１誤り検出部２０５ａからの出力に対応するＡＣＫ／ＮＡＫ信号、および移動局２の無線品質測定部２０８ａからの出力に対応する無線品質情報信号q1を復号し、それら復号された信号を送信データ管理部１０２へ出力する。
復号化部１１０ｂは、逆拡散部１０９ｂからの出力信号を復号化することにより、第２誤り検出部２０５ｂからの出力に対応するするＡＣＫ／ＮＡＫ信号、および無線品質測定部２０８ｂからの出力に対応する無線品質情報信号q2を復号し、それら復号された信号を送信データ管理部１０２へ出力する。【００５８】
送信データ管理部１０２は、それら復号化部１１０ａおよび復号化部１１０ｂから入力されるＡＣＫ／ＮＡＫ信号に基づいて、それらＡＣＫ／ＮＡＫ信号の各々に対応するデータについて再送の要否を判断し、再送が必要と判断されるデータについては、送信データバッファ部１０１から再度読み出して、第１マッピング部１０３ａ及び／又は第２マッピング部１０３ｂへ出力する。また、送信データ管理部１０２は、再送が不要と判断されたデータについては、送信データバッファ部１０１から当該データの記憶を消去する処理を行う。【００５９】
なお、送信データバッファ部１０１から再送のために再度読み出されたデータは、送信データ管理部１０２によって前回の送信時と同じマッピング部へ出力されてもよいし、異なるマッピング部へ出力されてもよい。
例えば、前回の送信時に第１マッピング部１０３ａへ出力されたデータについて、再送が必要と判断された場合に、送信データ管理部１０２は、再送が必要と判断された当該データを送信データバッファ部１０１から再度読み出して、第１マッピング部１０３ａのみへ出力してもよいし、第２マッピング部１０３ｂのみへ出力してもよいし、第１マッピング部１０３ａおよび第２のマッピング部１０３ｂの双方へ分割して出力してもよい。【００６０】
好ましくは、送信データ管理部１０２は、復号化部１１０ａ及び／又は復号化部１１０ｂから入力される一つ又は複数の無線品質情報信号に基づいて、第１無線周波数及び／又は第２無線周波数における無線伝搬環境を判定し、その判定結果に基づいて、送信データバッファ部１０１から読み出したデータを、第１マッピング部１０３ａ及び／又は第２マッピング部１０３ｂへ、振り分ける。【００６１】
また、好ましくは、送信データ管理部１０２は、復号化部１１０ａ及び／又は復号化部１１０ｂから入力される一つ又は複数のＡＣＫ／ＮＡＫ信号に基づいて、第１無線周波数及び／又は第２無線周波数における無線伝搬環境を判定し、その判定結果に基づいて、送信データバッファ部１０１から読み出したデータを、第１マッピング１０３ａ及び／又は第２マッピング部１０３ｂへ、振り分ける。【００６２】
また、好ましくは、送信データ管理部１０２は、復号化部１１０ａ及び／又は復号化部１１０ｂから入力されるＡＣＫ／ＮＡＫ信号および無線品質情報信号の双方に基づいて、第１無線周波数及び／又は第２無線周波数における無線伝搬環境を判定し、その判定結果に基づいて、送信データバッファ部１０１から読み出したデータを、第１マッピング部１０３ａ及び／又は第２マッピング部１０３ｂへ、振り分ける。【００６３】
なお、第１マッピング部１０３ａおよび第２マッピング部１０３ｂへのデータの振り分け方としては、第１グループへ振り分けるデータ量または第２グループへ振り分けるデータ量を、一時的にゼロとしてもよい。
また、ここでは説明の簡単化のため、送信データバッファ部１０１から読み出されたデータを、互いに異なる無線周波数に対応した２つのマッピング部１０３ａ,１０３ｂへ振り分けているが、当該読み出されたデータを３つ以上のマッピング部へ振り分けるようにしてもよい。
例えば、図５に示した基地局の構成において、送信データバッファ部１０１から読み出されたデータを、第１マッピング部１０３ａ、第２マッピング部１０３ｂおよびその他のマッピング部に振り分けるようにして、それら第１マッピング部１０３ａ、第２マッピング部１０３ｂおよびその他のマッピング部は、当該振り分けられたデータを互いに異なる無線周波数上の物理チャネルにマッピングするようにしてもよい。【００６４】
図７は、図５に示した基地局１の第１マッピング部１０３ａおよび第２マッピング部１０３ｂの詳細を例示する図である。図７において、第１マッピング部１０３ａは、上述した第１符号化処理のためにＣＲＣ付加部３０１ａ〜再配置部３０８ａを有し、上述したマッピング処理のために物理チャネルマッピング部３０９ａを有する。また、第２マッピング部１０３ｂは、上述した第２符号化処理のためにＣＲＣ付加部３０１ｂ〜再配置部３０８ｂを有し、上述したマッピング処理のために物理チャネルマッピング部３０９ｂを有する。なお、これら第１マッピング部１０３ａおよび第２マッピング部１０３ｂの構成は、ソフトウェア的に実現することも可能である。【００６５】
図７に示した第１マッピング部１０３ａおよび第２マッピング部１０３ｂの動作について説明する。まず、基地局１の送信データバッファ部１０１に、移動局２へ送信すべきデータが記憶される。送信データ管理部１０２は、送信データバッファ部１０１に記憶されたデータを、その優先順位に基づいて読み出して、第１グループおよび第２グループに振り分ける。
例えば、送信データ管理部１０２は、再送すべきデータを優先的に送信データバッファ部１０１から読み出して、それ以外のデータは、それらデータの送信すべき順序に従って、送信データバッファ部１０１から読み出す。読み出されたデータは、所定の時間間隔である送信時間間隔（Transmission Time Interval）毎に第１グループおよび第２グループへ振り分けられる。【００６６】
第１グループに振り分けられたデータは、例えば以下の処理により、第１無線周波数に設けられる一つまたは複数の下りシェアド物理チャネルへマッピングされる。【００６７】
第１グループに振り分けられたデータは、１送信時間間隔毎に、一つ又は複数のデータブロックとして、ＣＲＣ付加部３０１ａへ入力される。ＣＲＣ付加部３０１ａは、入力された各データブロックに、所定数（固定数又は可変数）のＣＲＣパリティビット（Cyclic Redundancy Check bits）を付加した後、後述するビットスクランブル部３０２ａへ出力する。ＣＲＣ付加部３０１ａにおいて付加されるＣＲＣビットは、例えば巡回生成多項式などにより計算される。【００６８】
１送信時間間隔毎に複数のデータブロックがＣＲＣ付加部３０１ａへ入力される場合には、ＣＲＣ付加部３０１ａは、１送信時間間隔内に入力される各データブロックにＣＲＣビットを付加した後、それらデータブロックを連結して１つのデータブロックとして出力するようにしてもよい。【００６９】
ＣＲＣ付加部３０１ａによりＣＲＣが付加されたデータブロックは、次にビットスクランブル（Bit Scrambling）部３０２ａに入力され、そこにおいてビットスクランブルされる。このビットスクランブルは、例えば、ビットスクランブル部３０２ａに入力されるビット列ｂ１，ｂ２，・・・，ｂＢと所定のビット列ｙ１，ｙ２，・・・，ｙＢとについて以下の式(1)を計算し、計算されたビット列ｄ１，ｄ２，・・・，ｄＢを出力することにより行われる。ここでＢはビットスクランブル部３０２ａに入力されるビット数である。
ｄｋ＝（ｂｋ＋ｙｋ）ｍｏｄ２  ｋ＝１，２，・・・，Ｂ        ・・・式（１）【００７０】
ビットスクランブル部３０２ａから出力されたビット列は、コードブロック分割（code block segmentation）部３０３ａへ入力され、そこにおいて符号化の前準備としてのビット列の分割が行われる。例えば、後述する符号化部３０４ａにおいてターボ符号化（turbo coding）を行う場合には、ビット列のビット数が所定数を超えないようにビット列が分割される。【００７１】
コードブロック分割部３０３ａから出力されたビット列は、符号化部３０４ａにおいて符号化される。例えば、図８に示す符号化部３０４ａによりターボ符号化が行われる。図８に示すターボ符号化部３０４ａは、レート１／３のターボ符号化を行うものを例示したものであり、二つの８状態構成符号器（8-state constituent encoder）と１つのインターリーバ（interleaver）とを備えて構成される。図８において、ｘｋはターボ符号化部３０４ａへの入力ビット列（ｘｋ＝｛x1,x2,…，xk｝）、ｚｋは第１の構成符号器（1st constituent encoder）からの出力ビット列（ｚｋ＝｛z1,z2,…，zk｝）、ｚ'ｋは第２の構成符号器（2nd constituent encoder）からの出力ビット列（ｚ'ｋ＝｛z'1,z'2,…，z'k｝）を示す。Ｋはターボ符号化部３０４ａへの入力ビット数である。図８中の点線部はトレリス終端において適用される。【００７２】
図８に示したターボ符号化部３０４ａの動作について説明する。図８に示したターボ符号化部３０４ａは、入力ビット列ｘｋが入力される場合に、符号化ビット列｛x1,z1,z'1,x2,z2,z'2,…,xk,zk,z'k｝を生成し、生成した符号化ビット列にトレリス終端(Trellis termination for Turbo Coder)のための複数のテールビットを付加して出力する。【００７３】
符号化部３０４ａからの出力は、図７に示したハイブリッドＡＲＱ（Hybrid Automatic Repeat Request）機能部３０５ａへ入力され、そこにおいてハイブリッドＡＲＱのための処理が施される。このハイブリッドＡＲＱ部では、ハイブリッドＡＲＱのために、符号化部３０４ａからの出力がパンクチュアリング及び／又はビット繰り返し（repetition）される。【００７４】
図９は、符号化部３０４ａにおいてターボ符号化が行われる場合におけるハイブリッドＡＲＱ機能部３０５ａの一構成例を示したものである。図９において、ハイブリッドＡＲＱ機能部３０５ａへ入力されたビット列はビット分離部３０５１において、情報ビット列（systematic bits）sys、第１パリティビット列（1st Parity bits）p1および第２パリティビット列（2nd Parity bits）p2の３つのビット列に分離される。
例えば、情報ビット列sysには、図８に示したターボ符号化部３０４ａから出力されるビット列ｘｋが含められ、第１パリティビット列p1には、図８のターボ符号化部３０４ａから出力されるビット列ｚｋが含められ、第２パリティビット列p2には、図８のターボ符号化部３０４ａから出力されるビット列ｚ’ｋが含められる。
図９において、ＮＳＹＳ、ＮＰ１’、ＮＰ２’は、それぞれ情報ビット列sys、第１パリティビット列p1、第２パリティビット列p2のビット数である。【００７５】
ビット分離部３０５１から出力される３つのビット列は、第１レートマッチング部３０５２へと入力される。第１レートマッチング部３０５２は、１送信時間間隔内におけるビット分離部３０５１への入力ビット数ＮＴＴＩと上位レイヤから指定されるビット数ＮＩＲとを比較して、ＮＴＴＩ＞ＮＩＲである場合に、当該総ビット数ＮＴＴＩがＮＩＲ以下になるよう第１パリティビット列p1及び第２パリティビット列p2をパンクチュアリング（puncturing）する。【００７６】
たとえば、ＮＴＴＩ＞ＮＩＲである場合に、第１レートマッチング部３０５２からは、パンクチュアリングされていない情報ビット列sysと、パンクチュアリングされた第１パリティビット列p1と、パンクチュアリングされた第２パリティビット列p2とが出力される。ＮＴＴＩ≦ＮＩＲである場合には、第１レートマッチング部３０５２はいずれのビット列に対してもパンクチュアリングを行わず、３つのビット列をそのまま透過的（transparently）に出力する。【００７７】
第１レートマッチング部３０５２から出力される３つのビット列は、第２レートマッチング部３０５３へ入力される。第２レートマッチング部３０５３は、第１レートマッチング部から出力される各ビット列のビット数Ｎｓｙｓ，Ｎｐ１，Ｎｐ２と、所定のビット数Ｎｄａｔａとを比較して、 Ｎｄａｔａ＜Ｎｓｙｓ＋Ｎｐ１＋Ｎｐ２ である場合には、パンクチュアリングを行い、Ｎｄａｔａ＞Ｎｓｙｓ＋Ｎｐ１＋Ｎｐ２ である場合には、ビット繰り返し（repetition）を行う。
ここで、Ｎｓｙｓは第１レートマッチング部３０５２から１送信時間間隔内に出力される情報ビット列sysのビット数、Ｎｐ１は第１レートマッチング部３０５２から１送信時間間隔内に出力される第１パリティビット列p1のビット数、Ｎｐ２は第１レートマッチング部３０５２から１送信時間間隔内に出力される第２パリティビット列p2のビット数である。
第２レートマッチング部３０５３から出力される３つのビット列sys，p1，p2は、ビット列連結部３０５４において連結され、ハイブリッドＡＲＱ機能部３０５ａから出力される。【００７８】
図７のハイブリッドＡＲＱ機能部３０５ａからの出力は、図７の物理チャネル分割部３０６ａへ入力される。物理チャネル分割部３０６ａは、第１無線周波数上で移動局２のために複数のシェアド物理チャネルを使用する場合に、ハイブリッドＡＲＱ機能部３０５ａからの出力を、それら複数のシェアド物理チャネルに対応する複数のビット列に分割する。物理チャネル分割部３０６ａがハイブリッドＡＲＱ機能部３０５ａからの出力を分割して生成する各ビット列のビット数は等しくてもよいし、異なってもよい。【００７９】
物理チャネル分割部３０６ａから出力される一つ又は複数のビット列は、インターリーブ部３０７ａへ出力される。インターリーブ部３０７ａは、物理チャネル分割部３０６ａから出力されるビット列を、ビット列毎にインターリーブする。図１０は、インターリーブ部３０７ａの構成を例示する図である。図１０において、インターリーブ部３０７ａは、当該ビット列の送信のためにＱＰＳＫを用いる場合には、入力された各ビット列を、ビット列毎に一つのインターリーバ３０７１を用いてインターリーブする。また、当該ビット列の送信のために１６ＱＡＭを用いる場合には、入力された各ビット列を、ビット列毎に二つのインターリーバ(Interleaver)３０７１，３０７２を用いてインターリーブする。なお、図１０において、ｕはインターリーブ部３０７ａへの入力ビットであり、ｕの添字ｐはビット列番号、ｕの添字ｋはビット番号である。【００８０】
図７のインターリーブ部３０７ａから出力された各ビット列は、図７の１６ＱＡＭ用再配置部(Constellation re-arrangement for 16 QAM)３０８ａへ出力される。この１６ＱＡＭ用再配置部３０８ａは、１６ＱＡＭによる送信のために、インターリーブ部３０７ａから出力されたビット列内のビットの並べ替え及び/又はビットの反転を行う。１６ＱＡＭ用再配置部は、送信のためにＱＰＳＫが用いられる場合には、入力されたビット列をそのまま透過的に出力する。【００８１】
１６ＱＡＭ用再配置部３０８ａから出力された各ビット列は、物理チャネルマッピング部３０９ａへ出力される。物理チャネルマッピング部３０９ａは、１６ＱＡＭ用再配置部３０８ａから入力された各ビット列を、互いに異なるシェアド物理チャネルにマッピングする。【００８２】
なお、本実施の形態をＷＣＤＭＡに適用する場合には、ＣＲＣ付加部３０１ａへ入力される各データブロックは、例えばＷＣＤＭＡにおけるトランスポートブロックとしてもよく、ＣＲＣ付加部３０１ａへデータブロックが入力される１送信時間間隔は、ＨＳ−ＰＤＳＣＨの１送信時間間隔である２ｍｓｅｃとしてもよい。【００８３】
一方、図７に示した送信データ管理部１０２により第２グループに振り分けられたデータは、例えば以下の処理により、第２無線周波数に設けられる一つまたは複数の下りシェアド物理チャネルへマッピングされる。【００８４】
送信データ管理部１０２により第２グループに振り分けられたデータは、１送信時間間隔毎に（例えば2msec毎に）一つ又は複数のデータブロックとしてＣＲＣ付加部３０１ｂへ入力される。ＣＲＣ付加部３０１ｂへ入力されたデータブロックは、そこにおいてデータブロック毎に所定数（例えば固定数24ビット）のＣＲＣビットが付加される。付加されるＣＲＣビットは、ＣＲＣ付加部３０１ａと同一又は異なる計算式により計算される。
【００８５】
１送信時間間隔あたりにＣＲＣ付加部３０１ｂへ入力されるデータの総ビット数は、１送信時間間隔あたりにＣＲＣ付加部３０１ａへ入力されるデータの総ビット数と同一であってもよいし、異なってもよい。
ＣＲＣ付加部３０１ｂにおける１送信時間間隔は、ＣＲＣ付加部３０１ａにおける１送信時間間隔と比較して、同一時間長であってもよいし、異なる時間長であってもよい。
ＣＲＣ付加部３０１ｂにおける１送信時間間隔の開始タイミングは、ＣＲＣ付加部３０１ａにおける１送信時間間隔の開始タイミングと同一であってもよいし、異なってもよい。
ＣＲＣ付加部３０１ｂにおける１送信時間間隔の開始タイミングは、ＣＲＣ付加部３０１ａにおける１送信時間間隔の開始タイミングと同期してもよく、同期しなくともよい。【００８６】
ＣＲＣ付加部３０１ｂにおいて各データブロックに付加されるＣＲＣビット数は、ＣＲＣ付加部３０２ａにおいて各データブロックに付加されるＣＲＣビット数と同一であってもよいし、異なってもよい。
ＣＲＣ付加部３０１ｂにおいて各データブロックに付加されるＣＲＣビット数は、固定数であってもよいし、可変数であってもよい。
ＣＲＣ付加部３０１ｂへ入力されるデータブロックは、ＣＲＣ付加部３０１ａへ入力されるデータブロックと同一フォーマットであってもよいし、異なるフォーマットであってもよい。【００８７】
１送信時間間隔毎に複数のデータブロックがＣＲＣ付加部３０１ｂへ入力される場合には、ＣＲＣ付加部３０１ｂは、１送信時間間隔内に入力される各データブロックにＣＲＣを付加した後、それらデータブロックを連結して１つのデータブロックとして出力するようにしてもよい。【００８８】
ＣＲＣ付加部３０１ｂによりＣＲＣビットが付加されたデータブロックは、次にビットスクランブル部３０２ｂへ入力され、そこにおいてビットスクランブルされる。このビットスクランブル部３０２ｂにおけるビットスクランブルは、ビットスクランブル部３０２ａにおけるビットスクランブルのために用いられた計算式、例えば式（１）、と同一計算式によるビットスクランブルであってもよいし、異なる計算式によるビットスクランブルであってもよい。あるいは、ビットスクランブル部３０２ａを設ける一方でビットスクランブル部３０２ｂを設けないようにしてもよい。【００８９】
ビットスクランブル部３０２ｂ（ビットスクランブル部３０２ｂを設けない場合はＣＲＣ付加部３０１ｂ）から出力されたビット列は、コードブロック分割部３０３ｂへ入力され、そこにおいて符号化の前準備としてのビット列の分割が行われる。
即ち、コードブロック分割部３０３ａが、ビットスクランブル部３０２ａから出力されるビット列をビット数ｍを超えない複数のビット列に分割する一方で、コードブロック分割部３０３ｂが、ビットスクランブル部３０２ｂから出力されるビット列をビット数ｎを超えない複数のビット列に分割する。
なお、コードブロック分割部３０３ａにおける上限ビット数ｍとコードブロック分割部３０３ｂにおける上限ビット数ｎは、同一であってもよいし異なってもよい。例えば、符号化部３０４ａと後述する符号化部３０４ｂとが異なる符号化方式を用いる場合に、それぞれの符号化の特性を考慮して、上述の上限ビット数ｍと上述の上限ビット数ｎとを異ならせてもよい。例えば、符号化部３０４ａにおいてターボ符号化を行い、後述する符号化部３０４ｂにおいてＬＤＰＣ（Low-Density Parity-Check）符号化を行う場合には、上限ビット数ｍよりも上限ビット数ｎを大きくしてもよい。また、コードブロック分割部３０３ａを設ける一方でコードブロック分割部３０３ｂを設けないようにしてもよい。【００９０】
コードブロック分割部３０３ｂから出力されたビット列は、符号化部３０４ｂにおいて符号化される。符号化部３０４ｂは、符号化部３０４ａがコードブロック分割部３０３ａからの出力に対して行うのとは同一又は異なる符号化を、コードブロック分割部３０３ｂからの出力に対して行う。
例えば、符号化部３０４ｂとして、符号化部３０４ａの構成として例示した図８に示すターボ符号化器と同一又は異なる構成のターボ符号化器を用いてもよい。また、符号化部３０４ａにおいてターボ符号化を行い、符号化部３０４ｂにおいてＬＤＰＣ符号化を行ってもよい。符号化部３０４ａにおける符号化レートと、符号化部３０４ｂにおける符号化レートを、同一としてもよいし、異ならせてもよい。
また、符号化部３０４ａと符号化部３０４ｂの双方がターボ符号化を行う場合に、符号化部３０４ａにおけるターボ符号化のアルゴリズムと、符号化部３０４ｂにおけるターボ符号化のアルゴリズムとを異ならせてもよい。例えば、符号化部３０４ａにおけるターボ符号化においては、ｍ状態構成符号化器（ｍは整数）を用い、符号化部３０４ｂにおけるターボ符号化においては、ｎ状態構成符号化器（ｎはｍと異なる整数）を用いてもよい。また、符号化部３０４ａにおけるターボ符号化のために行うインターリーブの方式と、符号化部３０４ｂにおけるターボ符号化のために行うインターリーブの方式とを異ならせてもよい。特に、符号化部３０４ａにおけるターボ符号化のために行うインターリーブの深さと、符号化部３０４ｂにおけるターボ符号化のために行うインターリーブの深さとを異ならせてもよい。また、符号化部３０４ａを設ける一方で、符号化部３０４ｂを設けないようにしてもよい。【００９１】
符号化部３０４ｂからの出力は、ハイブリッドＡＲＱ機能部３０５ｂへ入力され、そこにおいてハイブリッドＡＲＱのためのパンクチュアリング及び/又はビット繰り返し処理が施される。
このハイブリッドＡＲＱ機能部３０５ｂとして、例えば、ハイブリッドＡＲＱ機能部３０５ａの構成として例示した図９の構成と同一の構成を用いることができる。その際、図９に示した構成の第１レートマッチング部におけるビット数の上限値ＮＩＲをハイブリッドＡＲＱ機能部３０５ａとハイブリッドＡＲＱ機能部３０５ｂとで同一又は異ならせてもよい。また、図９に示したビット数ＮｄａｔａをハイブリッドＡＲＱ機能部３０５ａとハイブリッドＡＲＱ機能部３０５ｂとで同一としてもよいし、異ならせてもよい。また、ハイブリッドＡＲＱ機能部３０５ａを設ける一方でハイブリッドＡＲＱ機能部３０５ｂを設けないようにしてもよい。【００９２】
ハイブリッドＡＲＱ機能部３０５ｂからの出力は、物理チャネル分割部３０６ｂへ入力される。物理チャネル分割部３０６ｂは、第２無線周波数上で、移動局２のために複数のシェアド物理チャネルを使用する場合に、ハイブリッドＡＲＱ機能部３０５ｂからの出力を、それら複数のシェアド物理チャネルに対応する複数のビット列に分割する。【００９３】
なお、物理チャネル分割部３０６ｂがハイブリッドＡＲＱ機能部３０５ｂからの出力を分割して生成する複数のビット列の各々のビット数は、互いに等しくてもよいし、異なってもよい。
また、物理チャネル分割部３０６ｂがハイブリッドＡＲＱ機能部３０５ｂからの出力を分割して生成するビット列の数は、物理チャネル分割部３０６ａがハイブリッドＡＲＱ機能部３０５ａからの出力を分割して生成するビット列の数と、同一であってもよいし、異なってもよい。
また、物理チャネル分割部３０６ａがハイブリッドＡＲＱ機能部３０５ａからの出力を分割して生成する各ビット列のビット数と、物理チャネル分割部３０６ｂがハイブリッドＡＲＱ機能部３０５ｂからの出力を分割して生成する各ビット列のビット数とは、同一であってもよいし、異なってもよい。【００９４】
物理チャネル分割部３０６ｂから出力される一つ又は複数のビット列は、インターリーブ部３０７ｂへ出力される。このインターリーブ部３０７ｂは、物理チャネル分割部３０６ｂから出力されるビット列を、ビット列毎にインターリーブする。このインターリーブ部３０７ｂにおいて、インターリーブ部３０７ａと同一のインターリーブ方式が用いられてもよいし、異なるインターリーブ方式が用いられてもよい。
また、図１０に示したインターリーブ部では、送信のためにＱＰＳＫを用いる場合には、一つのインターリーバ３０７１を用い、送信のために１６ＱＡＭを用いる場合には二つのインターリーバ３０７１，３０７２を用いるようにしているが、インターリーブ部３０７ｂにおいて、１６ＱＡＭのためのインターリーブが不要な場合には、インターリーバ３０７１一つのみを備えるようにしてもよい。また、インターリーブ部３０７ａを設けた上で、インターリーブ部３０７ｂを設けないようにしてもよい。【００９５】
インターリーブ部３０７ｂから出力された各ビット列は、１６ＱＡＭ用再配置部３０８ｂへ出力される。この１６ＱＡＭ用再配置部３０８ｂは、送信のために１６ＱＡＭ用再配置部３０８ａと同様に、送信のために１６ＱＡＭを用いる場合に、インターリーブ部３０８ｂから出力されたビット列内のビットの並べ替え及び/又はビットの反転を行う。１６ＱＡＭ用再配置部３０８ｂは、送信のためにＱＰＳＫが用いられる場合には、入力されたビット列をそのまま透過的に出力する。なお、１６ＱＡＭ用再配置部３０８ａを設けた上で１６ＱＡＭ用再配置部３０８ｂを設けないようにしてもよい。【００９６】
１６ＱＡＭ用再配置部３０８ｂから出力された各ビット列は、物理チャネルマッピング部３０９ｂへ出力される。物理チャネルマッピング部は、１６ＱＡＭ用再配置部３０８ｂから入力された各ビット列を、互いに異なるシェアド物理チャネルにマッピングする。
なお、本実施の形態１では、物理チャネルマッピング部は、１６ＱＡＭ用再配置部３０８ｂから入力された各ビット列を、互いに異なるシェアド物理チャネルにマッピングしているが、マッピング先の物理チャネルはシェアド物理チャネルでなくともよく、各ビット列をシェアド物理チャネル以外の互いに異なる物理チャネルにマッピングするようにしてもよい。【００９７】
次に図５に示した送信データ管理部１０２の動作について説明する。図１１は、図５に示した送信データ管理部１０２の詳細な構成を例示する図である。
図１１において、４０１は送信制御部、４０２は再送制御部、４０３はデータ分配部である。【００９８】
図５に示した復号化部１１０ａ及び／又は復号化部１１０ｂからの無線品質情報信号q1及び／又はq2は、図１１に示した送信制御部４０１に入力される。送信制御部４０１は、入力された無線品質情報信号q1及び／又はq2に基づいて、１送信時間間隔あたりに第１マッピング部１０３ａへ入力されるデータ量及び／又は１送信時間間隔あたりに第２マッピング部１０３ｂへ入力されるデータ量を制御する。
例えば、送信制御部４０１は、入力された無線品質情報信号q1及びq2に基づいて、第１マッピング部１０３ａに対応する第１無線周波数の無線伝搬環境が悪化し、第２マッピング部１０３ｂに対応する第２無線周波数の無線伝搬環境が良好であると判断される場合には、１送信時間間隔あたりに第１マッピング部１０３ａに入力されるデータ量を減少させ、１送信時間間隔あたりに第２マッピング部１０３ｂに入力されるデータ量を増加させる制御を行う。【００９９】
図５に示した復号化部１１０ａおよび復号化部１１０ｂから出力される第１グループのデータに対応するＡＣＫ／ＮＡＫ信号および第２グループのデータに対応するＡＣＫ／ＮＡＫ信号は、図１１に示した再送制御部４０２に入力される。再送制御部４０２は、入力されたＡＣＫ／ＮＡＫ信号、および送信制御部４０１からの指示信号に基づいて、送信データバッファ１０１からのデータ出力を制御する。【０１００】
送信データバッファ１０１から出力されたデータは、データ分配部４０３へ入力される。データ分配部４０３は、送信制御部４０１からの指示信号に基づいて、送信データバッファ１０１からのデータを、第１マッピング部１０３ａ及び第２マッピング部１０３ｂへ振り分ける。【０１０１】
以下、図５に示した送信データ管理部１０２の動作について更に詳しい例を用いて説明する。送信制御部４０１は、入力される無線品質情報信号q1及びq2に基づいて、１送信時間間隔あたりに第１マッピング部１０３ａへ入力すべきデータ量および１送信時間間隔あたりに第２マッピング部１０３ｂへ入力すべきデータ量を決定する。送信制御部４０１は、当該決定したデータ量を再送制御部４０２及びデータ分配部４０３へ指示信号として出力する。【０１０２】
再送制御部４０２は、入力されるＡＣＫ／ＮＡＫ信号に基づいて、それらＡＣＫ／ＮＡＫ信号に対応する第１グループのデータおよび第２グループのデータの各々が移動局２において誤りなく受信されたかどうかを判断する。再送制御部４０２は、第１グループのデータおよび第２グループのデータの双方が移動局２において誤りなく受信されたと判断される場合には、送信データバッファ１０１に対して、それら誤りなく受信されたデータの該バッファ１０１からの削除を要求すると共に、該バッファ１０１に対して新たなデータの出力を要求する。
これに対し、再送制御部４０２は、第１グループのデータおよび第２グループのデータのうちの少なくともいずれかが、移動局２において誤って受信されたと判断される場合には、当該誤って受信されたデータの再出力を、送信データバッファ部１０１に対して要求する。
再送制御部４０２は、このような送信データバッファ部１０１からのデータの出力（新たなデータの出力およびデータの再出力）を、送信制御部４０１からの指示信号に基づき制御することにより、当該指示信号により指示されたデータ量に相当するデータを、送信データバッファ部１０１からデータ分配部１０３に対して出力させる制御を行う。【０１０３】
なお、再送制御部４０２は、移動局２において誤って受信されたデータの再出力を送信データバッファ１０１に対して要求する際、当該誤って受信されたデータのみの再出力を要求してもよいし、当該誤って受信されたデータ以降の全てのデータの再出力を要求してもよい。即ち、再送制御部４０２が送信データバッファ部１０１に対して要求する再出力の方式は、SR(selective-Repeat)方式およびGTN(Go-to-N)方式のいずれであってもよい。【０１０４】
データ分配部４０３は、送信データバッファ部１０１から入力されたデータを、送信制御部４０１からの指示信号に従って、第１マッピング部１０３ａおよび第２マッピング部１０３ｂへ振り分ける。
送信データバッファ部１０１から再出力されたデータは、１回目の出力時に振り分けられたのと同じマッピング部へ振り分けられてもよいし、異なるマッピング部へ振り分けられてもよい。例えば、１回目の出力時に第１マッピング部１０３ａに振り分けられ再送のために送信データバッファ部１０１から再出力がなされたデータについて、データ分配部４０３は、当該データを１回目の送信時とは異なる第２マッピング部１０３ｂへ振り分けてもよい。【０１０５】
なお、図１１では、送信制御部４０１は、入力された無線品質情報信号q1及び／又はq2に基づき、第１マッピング部１０３ａおよび第２マッピング部１０３ｂへ入力されるデータ量を制御したが、図１２に示すように、入力された無線品質情報信号q1及び／又はq2に基づき、第１マッピング部１０３ａおよび第２マッピング部１０３ａへ入力されるデータ量に加えて、第１マッピング部１０３ａおよび／または第２マッピング部１０３ｂにおいて用いられる各種パラメータも制御するようにしてもよい。【０１０６】
例えば、図１２に示す送信制御部４０１は、入力された無線品質情報信号に基づいて、１送信時間間隔あたりに第１マッピング部１０３ａへ入力されるデータ量、及び１送信時間間隔あたりに第２マッピング部へ入力されるデータ量を変化させると共に、入力された無線品質情報信号に基づいて、図７に示したＣＲＣ付加部３０１ａ及び／又は３０１ｂにおけるＣＲＣビットの付加数及び／又はＣＲＣビットの生成多項式を変化させてもよい。【０１０７】
同様に、図１２に示す送信制御部４０１は、入力された無線品質情報信号に基づいて、図７に示したビットスクランブル部３０２ａ及び／又は３０２ｂにおけるビットスクランブルの方式を変化させてもよい。【０１０８】
同様に、図１２に示す送信制御部４０１は、入力された無線品質情報信号に基づいて、図７に示したコードブロック分割部３０３ａ及び／又は３０３ｂから出力されるビット列の上限ビット数を変化させてもよい。【０１０９】
同様に、図１２に示す送信制御部４０１は、入力された無線品質情報信号に基づいて、図７に示した符号化部３０４ａ及び／又は３０４ｂにおける符号化方式、符号化レートなどを変化させてもよい。【０１１０】
同様に、図１２に示す送信制御部４０１は、入力された無線品質情報信号に基づいて、図７に示した物理チャネル符号化部３０４ａ及び／又は３０４ｂにおける符号化方式、符号化レートなどを変化させてもよい。【０１１１】
同様に、図１２に示す送信制御部４０１は、入力された無線品質情報信号に基づいて、図７に示したハイブリッドＡＲＱ機能部３０５ａ及び／又は３０５ｂにおける仮想バッファの上限値ＮＩＲを変化させてもよい。【０１１２】
同様に、図１２に示す送信制御部４０１は、入力された無線品質情報信号に基づいて、図７に示したハイブリッドＡＲＱ機能部３０５ａ及び／又は３０５ｂの出力ビット数Ｎｄａｔａを変化させてもよい。【０１１３】
同様に、図１２に示す送信制御部４０１は、入力された無線品質情報信号に基づいて、図７に示した物理チャネル分割部３０６ａ及び／又は３０６ｂにおける分割数を変化させてもよい。【０１１４】
同様に、図１２に示す送信制御部４０１は、入力された無線品質情報信号に基づいて、図７に示したインターリーブ部３０７ａ及び／又は３０７ｂにおけるインターリーブ方式を変化させてもよい。【０１１５】
同様に、図１２に示す送信制御部４０１は、入力された無線品質情報信号に基づいて、図７に示した再配置部３０８ａ及び／又は３０８ｂにおける処理内容を変化させてもよい。【０１１６】
同様に、図１２に示す送信制御部４０１は、入力された無線品質情報信号に基づいて、物理チャネルマッピング部３０９ａ及び／又は３０９ｂにおけるマッピング先のシェアド物理チャネル数を変化させてもよいし、変化させなくてもよい。【０１１７】
同様に、図１２に示す送信制御部４０１は、入力された無線品質情報信号に基づいて、物理チャネルマッピング部３０９ａ及び／又は３０９ｂにおけるマッピング先のシェアド物理チャネルの変調方式（ＱＰＳＫ，１６ＱＡＭ）を変化させてもよい。【０１１８】
同様に、図１２に示す送信制御部４０１は、入力された無線品質情報信号に基づいて、第１グループのデータがマッピングされる第１無線周波数の一つ又は複数のシェアド物理チャネルの各々のチャネライゼーションコードについての情報、および、第２グループのデータがマッピングされる第２無線周波数の一つ又は複数のシェアド物理チャネルの各々のチャネライゼーションコードについての情報を、第１及び第２のいずれの無線周波数の物理チャネルを用いて、基地局１から移動局２へ送信するかを決定してもよい。【０１１９】
なお、例えば、第１マッピング部１０３ａに入力されるデータを送信する第１無線周波数の無線伝搬環境が悪化し、第２マッピング部１０３ｂに入力されるデータを送信する第２無線周波数の無線伝搬環境が良好である場合に、１送信時間間隔あたりに第１マッピング部１０３ａに入力されるデータ量を減少させ、１送信時間間隔あたりに第２マッピング部１０３ｂに入力されるデータ量を増加させ、且つ、第１マッピング部１０３ａおよび第２マッピング部１０３ｂにおける全てのパラメータを変化させなければ（特に、図７に示したハイブリッドＡＲＱ機能部３０５ａ及び３０５ｂの各々における仮想バッファの上限値ＮＩＲの値を変化させなければ）、ハイブリッドＡＲＱ機能部３０５ａにおいて１送信時間間隔あたりにパンクチュアリングされるパリティビット数が減少し、ハイブリッドＡＲＱ機能部３０５ｂにおいて１送信時間間隔あたりにパンクチュアリングされるパリティビット数が増加するので（但し、ＮＴＴＩ＞ＮＩＲの場合）、第１マッピング部１０３ａに入力されるデータに対する移動局２における誤り訂正能力を向上させることが出来ると共に、第２マッピング部１０３ｂに入力されたデータを送信する第２無線周波数の有効利用を図ることが可能となる。【０１２０】
また、図１１及び図１２に示した送信制御部４０１は、図５に示した復号化部１１０ａ及び／又は復号化部１１０ｂからの無線品質情報信号に基づいて、１送信時間間隔あたりに第１マッピング部１０３ａへ入力されるデータ量、１送信時間間隔あたりに第２マッピング部へ入力されるデータ量、マッピング部１０３ａ,１０３ｂにおいて用いられる各種パラメータなどを制御したが、その他の情報を代替的に用いて、あるいはその他の情報を追加的に用いて同様の制御を行うようにしてもよい。【０１２１】
例えば、図１３に示すように、送信制御部４０１は、復号化部１１０ａ及び／又は復号化部１１０ｂからの無線品質情報信号に代えて、復号化部１１０ａ及び／又は復号化部１１０ｂからのＡＣＫ／ＮＡＫ信号に基づいて、１送信時間間隔あたりに第１マッピング部１０３ａへ入力されるデータ量、１送信時間間隔あたりに第２マッピング部へ入力されるデータ量、およびマッピング部１０３ａ,１０３ｂにおいて用いられる各種パラメータを制御してもよい。【０１２２】
あるいは、図１４に示すように、送信制御部４０１は、復号化部１１０ａ及び／又は復号化部１１０ｂからの無線品質情報信号に加えて、復号化部１１０ａ及び／又は復号化部１１０ｂからのＡＣＫ／ＮＡＫ信号に基づいて、同様の制御を行ってもよい。
なお、図１２〜図１４の各々において、図１１と同一符号は同一又は相当部分を示す。【０１２３】
また、第１グループのデータがマッピングされる第１無線周波数の少なくとも一つのシェアド物理チャネルの符号拡散率と、第２グループのデータがマッピングされる第２無線周波数の少なくとも一つのシェアド物理チャネルの符号拡散率とが、同一又は異なるようにしてもよい。例えば、第１グループのデータがマッピングされる各シェアド物理チャネルの符号拡散率が全て同じであり、第２グループのデータがマッピングされる各シェアド物理チャネルの符号拡散率が全て同じであり、それら第１グループのデータがマッピングされるシェアド物理チャネルの符号拡散率と第２グループのデータがマッピングされるシェアド物理チャネルの符号拡散率とが同一又は異なるようにしてもよい。【０１２４】
また、第１グループのデータがマッピングされる第１無線周波数の少なくとも一つのシェアド物理チャネルのチャネライゼーションコードと、第２グループのデータがマッピングされる第２無線周波数の少なくとも一つのシェアド物理チャネルのチャネライゼーションコードとが、同一又は異なるようにしてもよい。【０１２５】
また、第１グループのデータがマッピングされるシェアド物理チャネルが設けられる第１無線周波数と、第２グループのデータがマッピングされるシェアド物理チャネルが設けられる第２無線周波数とは、複数の無線周波数の候補の中から、なるべく周波数間隔の広い二つの無線周波数を選択するようにしてもよい。これにより、第１無線周波数と第２無線周波数との双方において、互いのチャネル間における干渉を生じ難くすることができる。【０１２６】
また、第１グループのデータがマッピングされる第１無線周波数の一つ又は複数のシェアド物理チャネルの各々のチャネライゼーションコードについての情報と、第２グループのデータがマッピングされる第２無線周波数の一つ又は複数のシェアド物理チャネルの各々のチャネライゼーションコードについての情報とは、基地局１から移動局２に対して、同一の物理チャネルを用いて送信されてもよいし、互いに異なる物理チャネルを用いて送信されてもよい。
例えば、ＷＣＤＭＡにおいて、第１無線周波数の複数のシェアド物理チャネルの各々のチャネライゼーションコードについての情報を第１無線周波数のＨＳ−ＳＣＣＨにて送信し、第２無線周波数の複数のシェアド物理チャネルの各々のチャネライゼーションコードについての情報を、同一のＨＳ−ＳＣＣＨにて送信してもよいし、第１無線周波数のＨＳ−ＳＣＣＨ以外のその他の物理チャネルにて送信してもよいし、第１無線周波数とは異なる第２無線周波数の物理チャネルにて送信してもよい。【０１２７】
また、本実施の形態１においては、一つの移動局２のために、互いに異なる二つの無線周波数の各々に設けられたシャアド物理チャネルを利用したが、それ以上の無線周波数を利用してもよく、３つ以上の無線周波数の各々に設けられたシェアド物理チャネルに、一つの移動局のためのデータを振り分けて送信してもよい。【０１２８】
また、本実施の形態１においては、一つの基地局１と一つの移動局２とが通信する場合について例示したが、一つの基地局１が複数の移動局と通信してもよく、その場合に、基地局１は、互いに異なる無線周波数上の複数のシェアド物理チャネルを受信可能な第１タイプの移動局および互いに異なる無線周波数上の複数のシェアド物理チャネルを受信できない第２タイプの移動局と、同時に通信してもよい。
また、基地局１と通信しようとする各移動局は、自局が上記第１タイプ又は上記第２タイプのいずれであるかを識別するための信号を、基地局１へ送信するようにしてもよい。【０１２９】
また、図１１〜図１４に示したデータ分配器４０３は、通信相手の移動局２が、上記タイプ２であると判断される場合に、送信データバッファ部１０１から入力された全てのデータを、第１マッピング部１０３ａへ振り分けるようにしてもよい。
また、図１１〜図１４に示したデータ分配器４０３は、通信相手の移動局２が、上記タイプ１であると判断される場合に、送信データバッファ部１０１から入力された全てのデータを、第２マッピング部１０３ｂへ振り分けるようにしてもよい。【０１３０】
また、本実施の形態１においては、マッピング部１０３ａ,１０３ｂによってデータがマッピングされる物理チャネルとしてシェアド物理チャネルを例示したが、その他の物理チャネルであってもよい。【０１３１】
また、本実施の形態１において、基地局１及び移動局２は、各無線周波数毎に異なるアンテナ部（７ａ，７ｂ，８ａ，８ｂ）、（１１ａ，１１ｂ，１８ａ，１８ｂ）を有したが、複数の無線周波数で１つのアンテナ部を共用するようにしてもよい。また、各アンテナ部をマルチビームアンテナを用いて構成してもよい。【０１３２】
また、本実施の形態１においては、基地局１から移動局２へのダウンリンクに本発明を適用した場合について説明したが、移動局から基地局へのアップリンクや、移動局から移動局への移動局間通信においても、本発明を適用できることは言うまでもない。【０１３３】
実施の形態２．
図５及び図６に示したＣＤＭＡ無線通信システムにおいては、第１誤り検出部２０５ａおよび第２誤り検出部２０５ｂの各々からのＡＣＫ／ＮＡＫ信号が、互いに異なる無線周波数を介して基地局１へ送信される例について説明した。本実施の形態２においては、第１誤り検出部２０５ａおよび第２誤り検出部２０５ｂの各々からのＡＣＫ／ＮＡＫ信号が、同一無線周波数を介して基地局１へ送信される例について説明する。【０１３４】
図１５及び図１６は、本実施の形態２におけるＣＤＭＡ無線通信システムを例示する構成図である。図１５及び図１６において、図５及び図６と同一符号は、同一又は相当部分を示す。
図１５において、１１１は受信アンテナ部、１１２は無線受信部、１１３は逆拡散部、１１４は復号化部である。
また、図１６において、２１３は符号化部、２１４は符号拡散部、２１５無線送信部、２１６は送信アンテン部である。【０１３５】
図１５及び図１６に示したＣＤＭＡ無線通信システムの動作について説明する。
図１６において、第１誤り検出部２０５ａからのＡＣＫ／ＮＡＫ信号、第２誤り検出部２０５ｂからのＡＣＫ／ＮＡＫ信号、無線品質測定部２０８ａからの無線品質情報信号q1、および無線品質測定部２０８ｂからの無線品質情報信号q2は、符号化部２１３へ入力され、そこにおいて、それぞれ同一又は異なる符号化方式にて符号化される。【０１３６】
符号化部２１３において符号化された上記４種類の信号（即ち、第１誤り検出部２０５ａからのＡＣＫ／ＮＡＫ信号、第２誤り検出部２０５ｂからのＡＣＫ／ＮＡＫ信号、無線品質測定部２０８ａからの無線品質情報信号q1、および無線品質測定部２０８ｂからの無線品質情報信号q2）は、符号拡散部２１４へ入力され、そこにおいて、それぞれ同一又は異なるチャネライゼーションコードにより符号拡散される。【０１３７】
例えば、符号拡散部２１４は、符号化部２１３において符号化された上記４種類の信号を多重化し、多重化後の信号を同一のチャネライゼーションコードにより符号拡散する。
あるいは、符号拡散部２１４は、符号化部２１３において符号化された上記４種類の信号を、互いに異なるチャネライゼーションコードにより符号拡散する。
あるいは、符号拡散部２１４は、符号化部２１３において符号化された上記４種類の信号のうち、ＡＣＫ／ＮＡＫ信号に対応する２種類の信号を多重化すると共に、無線品質情報信号に対応する２種類の信号を多重化し、多重化後の各信号をそれぞれ互いに異なるチャネライゼーションコードにより符号拡散してもよい。
あるいは、符号拡散部２１４は、符号化部２１３において符号化された上記４種類の信号のうち、第１無線周波数に対応する２種類の信号を多重化すると共に、第２無線周波数に対応する２種類の信号を多重化し、多重化後の各信号をそれぞれ互いに異なるチャネライゼーションコードにより符号拡散してもよい。【０１３８】
符号拡散部２１４において符号拡散された各信号は、無線送信部２１５へ入力され、それぞれ第３無線周波数にアップコンバートされ、送信アンテナ部２１６を介して基地局１へ送信される。
この第３無線周波数は、基地局１から移動局２への送信に用いられる第１無線周波数および第２無線周波数とは異なる無線周波数としてもよいし、第１無線周波数および第２無線周波数とは異なる無線周波数、または第１無線周波数および第２無線周波数のいずれかと同一の無線周波数としてもよい。【０１３９】
移動局２の送信アンテナ部２１６から送信された信号は、図１５に示した基地局１の受信アンテナ部１１１を介して、基地局１の無線受信部１１２により受信される。無線受信部１１２は受信した信号をダウンコンバートして、ベースバンド信号に復調し、逆拡散部１１３へ出力する。
逆拡散部１１３は、無線受信部１１２から出力された信号を、図１６に示した移動局２の符号拡散部２１４において用いられたのと同一の一つ又は複数のチャネライゼーションコードにより逆拡散して、復号化部１１４へ出力する。
復号化部１１４は、逆拡散部１１３からの出力信号を復号化することにより、上記４種類の信号（即ち、第１誤り検出部２０５ａからのＡＣＫ／ＮＡＫ信号、第２誤り検出部２０５ｂからのＡＣＫ／ＮＡＫ信号、無線品質測定部２０８ａからの無線品質情報信号q1、および無線品質測定部２０８ｂからの無線品質情報信号q2）を復号し、それら復号された信号を送信データ管理部１０２へ出力する。
その他の動作は、実施の形態１で説明した図５の基地局１および図６の移動局２の動作と同様である。
【０１４０】
実施の形態３．
実施の形態１において、図１１に示した再送制御部４０２は、入力されるＡＣＫ／ＮＡＫ信号に基づいて、当該ＡＣＫ／ＮＡＫ信号に対応するデータの移動局２への再送要否を判断した。本実施の形態においては、当該再送制御部４０２が、入力された各ＡＣＫ／ＮＡＫ信号に対応するデータを特定する方法について例示する。即ち、再送制御部４０２が、入力された各ＡＣＫ／ＮＡＫ信号がどのデータのためのものなのかを判断する方法について例示する。【０１４１】
本実施の形態においては、基地局１は、移動局２からの各ＡＣＫ／ＮＡＫ信号の送信タイミングに基づき、各ＡＣＫ／ＮＡＫ信号に対応するデータを特定する。【０１４２】
例えば、図６において、移動局２の第１無線送信部２１１ａは、第１無線受信部２０２ａにおいてシェアド物理チャネルの１単位（１フレーム，１サブフレーム，１スロット等）が受信された場合に、当該１単位の受信タイミングから予め定められた第１期間が経過した時点で、当該１単位に対応するＡＣＫ／ＮＡＫ信号を、基地局１に対して送信するように、タイミング調整されている。
また、同様に、図６の第２無線送信部２１１ｂは、第２無線受信部２０２ｂにおいてシェアド物理チャネルの１単位が受信された場合に、当該１単位の受信タイミングから予め定められた第２期間が経過した時点で、当該１単位に対応するＡＣＫ／ＮＡＫ信号を、基地局１へ送信するように、タイミング調整されている。
これによって、図１１に示した再送制御部４０２は、基地局１からの各データの送信タイミング、および基地局１における各ＡＣＫ／ＮＡＫ信号の受信タイミングに基づいて、各ＡＣＫ／ＮＡＫ信号に対応するデータを特定することが可能となる。【０１４３】
なお、ＡＣＫ／ＮＡＫ信号の送信タイミングを決定するために用いられるこれら上記第１期間と上記第２期間は、同一時間長であってもよいし、異なる時間長であってもよい。
また、第１無線送信部２１１ａからのＡＣＫ／ＮＡＫ信号の送信タイミングと、第２無線送信部２１１ｂからのＡＣＫ／ＮＡＫ信号の送信タイミングは、一致していてもよいし、異なってもよい。
また、移動局２におけるシェアド物理チャネルの受信タイミングの検出は、移動局２の任意の構成部において行ってよく、移動局２からのＡＣＫ／ＮＡＫ信号の送信タイミングの調整は、移動局２の任意の構成部において行ってよい。
また、例えばＷＣＤＭＡにおいて、上記シェアド物理チャネルとしてＨＳ−ＰＤＳＣＨを用いた場合には、上記１単位として、ＨＳ−ＰＤＳＣＨの１送信時間間隔に対応する１サブフレームを用いることができる。【０１４４】
更に具体的に説明する。図１７（ａ）は図５に示した基地局１の第１無線送信部１０５ａからの各データの送信タイミングを例示する図である。図において、１７１１〜１７１３はそれぞれデータdata1〜data3を送信するための１単位の送信信号である。図１７（ｂ）は図６に示した移動局２の第１無線送信部２１１ａからの各ＡＣＫ／ＮＡＫ信号の送信タイミングである。図１７（ｃ）は図５に示した基地局１の第１無線受信部１０８ａにおける各ＡＣＫ／ＮＡＫ信号の受信タイミングである。図において、１７２１〜１７２３はそれぞれdata1〜data3に対応するＡＣＫ／ＮＡＫ信号であり、T1は時間間隔である。
図１７では、説明の簡単化のために、図５に示した基地局１の第１無線送信部１０５aから図６に示した移動局２の第１無線受信部２０２ａまでの信号伝搬時間、および図６に示した移動局２の第１無線送信部２１１ａから図５に示した基地局１の第１無線受信部１０８ａまでの信号伝搬時間を、ゼロとしている。【０１４５】
図１７においては、基地局１の第１無線送信部１０５ａにおけるデータの送信タイミングと、移動局２の第１無線受信部１０８ａにおける、当該データに対応するＡＣＫ／ＮＡＫ信号の受信タイミングとの間の時間間隔は全てT1であり、データ毎に一定である。
これにより、図５に示した基地局１の第１無線送信部１０５ａにおけるデータの送信タイミングと、基地局１の第１無線受信部１０８ａにおける各ＡＣＫ／ＮＡＫ信号の受信タイミングとの間に、一定の規則性を持たせることにより、基地局１は当該規則に基づき、受信された各ＡＣＫ／ＮＡＫ信号に対応するデータを特定することが可能となる。【０１４６】
次に、図１５および図１６に示すように、第１誤り検出部２０５ａおよび第２誤り検出部２０５ｂの各々からのＡＣＫ／ＮＡＫ信号が同一無線周波数を介して基地局１へ送信される場合について説明する。
図１６において、移動局２の無線送信部２１５は、移動局２の第１無線受信部２０２ａにおいてシェアド物理チャネルの１単位が受信された場合に、当該１単位の受信タイミングから予め定められた第３期間が経過した時点で、当該１単位に対応するＡＣＫ／ＮＡＫ信号を基地局１に対して送信するように、タイミング調整されている。
また、図１６において、移動局２の無線送信部２１５は、移動局２の第２無線受信部２０２ｂにおいてシェアド物理チャネルの１単位が受信された場合に、当該１単位の受信タイミングから予め定められた第４期間が経過した時点で、当該１単位に対応するＡＣＫ／ＮＡＫ信号を基地局１に対して送信するように、タイミング調整されている。
移動局２の第１無線受信部２０２ａにおけるシェアド物理チャネルの１単位の受信タイミングと移動局２の第２無線受信部２０２ｂにおけるシェアド物理チャネルの１単位の受信タイミングとが一致する場合であって、それら各１単位のためのＡＣＫ／ＮＡＫ信号を同一の上り物理チャネルに含めて送信する場合には、上記第３期間および第４期間は異ならせるのが好ましい。【０１４７】
これにより、図１５に示した基地局１の第１無線送信部１０５ａにおけるデータの送信タイミングと、基地局１の無線受信部１１２における各ＡＣＫ／ＮＡＫ信号の受信タイミングとの間に、および、図１５に示した基地局１の第２無線送信部１０５ｂにおけるデータの送信タイミングと、基地局１の無線受信部１１２における各ＡＣＫ／ＮＡＫ信号の受信タイミングとの間に、一定の規則性を持たせることが可能となり、基地局１は当該規則に基づき、受信された各ＡＣＫ／ＮＡＫ信号に対応するデータを特定することが可能となる。なお、ＷＣＤＭＡにおいて、上りＨＳ−ＤＰＣＣＨは上りＤＰＣＨに対して規定のオフセットを有するように調整してもよい。
【０１４８】
実施の形態４．
実施の形態３においては、図１１に示した再送制御部４０２が、入力された各ＡＣＫ／ＮＡＫ信号に対応するデータを、各ＡＣＫ／ＮＡＫ信号の基地局１における受信タイミングに基づき特定する場合について説明した。
本実施の形態においては、再送制御部４０２が、入力された各ＡＣＫ／ＮＡＫ信号に対応するデータを、各ＡＣＫ／ＮＡＫ信号に付加されたシリアル番号などの識別子に基づき特定する場合について説明する。【０１４９】
図１８〜図２０は、本実施の形態４におけるＣＤＭＡ無線通信システムを例示する図である。
図１８は本実施の形態４における基地局１の構成を例示する図である。図１８において、図５と同一符号は、同一又は相当部分を示す。図１８に示す基地局１は、図５に示す基地局１と比べて、復号化部１１０１ａおよび復号化部１１０１ｂの各々から各ＡＣＫ／ＮＡＫ信号に対応するデータを識別するためのシリアル番号ＳＮが出力される点、及び送信データ管理部１０２に代えて送信データ管理部１０２１を有している点が相違する。
図１９は本実施の形態４における移動局２の構成を例示する図である。図１９において、図６と同一符号は、同一又は相当部分を示す。図１９に示す移動局２は、図６に示す移動局２と比べて、第１誤り検出部２０５１ａおよび第２誤り検出部２０５１ｂの各々から、各ＡＣＫ／ＮＡＫ信号に対応するデータを識別するためのシリアル番号ＳＮが出力されている点で相違する。
図２０は図１８に示した送信データ管理部１０２１を例示する図である。図２０において、図１１と同一符号は、同一又は相当部分を示す。図２０に示す送信データ管理部１０２１は、図１１に示した送信データ管理部１０２と比べて、第１シリアル番号付加部４０４ａおよび第２シリアル番号付加部４０４ｂを有する点、および再送制御部４０２に、各ＡＣＫ／ＮＡＫ信号に対応するデータを識別するためのシリアル番号ＳＮが入力される点で相違する。【０１５０】
図２０に示す送信データ管理部１０２１の動作について説明する。第１シリアル番号付加部４０４ａは、データ分配部４０３から入力される一つ又は複数のデータブロックに対して、データブロック毎に又は１送信時間間隔毎に一つのシリアル番号を付加して、第１マッピング部１０３ａへ出力する。
例えば、第１シリアル番号付加部４０４ａはデータ分配部４０３から入力される一つのデータブロックdata1に対して、一つのシリアル番号ＳＮ１を付加して、一つのデータブロック（data1+SN1）として第１マッピング部１０３ａへ出力する。【０１５１】
また、第２シリアル番号付加部４０４ｂは、データ分配部４０３から入力される一つ又は複数のデータブロックに対して、データブロック毎に又は１送信時間間隔毎に一つのシリアル番号を付加して、第２マッピング部１０３ｂへ出力する。
例えば、第２シリアル番号付加部４０４ｂはデータ分配部４０３から出力される一つのデータブロックdata2に対して、一つのシリアル番号ＳＮ２を付加して、一つのデータブロック(data2+SN2)として第２マッピング部１０３ｂへ出力する。【０１５２】
第１シリアル番号付加部４０４ａおよび第２シリアル番号付加部４０４ｂの各々において用いられるシリアル番号としては、例えば０〜６３などの循環番号を用いることができる。当該循環番号は、第１シリアル番号付加部４０４ａおよび第２シリアル番号付加部４０４ｂの双方において同一のものを用いてもよいし、異なるものを用いてもよい。即ち、第１シリアル番号付加部４０４ａと第２シリアル番号付加部４０４ｂが、同一期間に同一のシリアル番号を用いるようにしてもよいし、用いないようにしてもよい。【０１５３】
第１シリアル番号付加部４０４ａにおいて付加されたシリアル番号ＳＮ１は、図１９に示す移動局２の第１誤り検出部２０５１ａにおいて取り出され、第１誤り検出部２０５１ａにおける誤り検出結果であるＡＣＫ／ＮＡＫ信号と共に、符号化部２０９ａへ出力される。
符号化部２０９ａへ入力されたシリアル番号ＳＮ１は、図１８に示す基地局１の復号化部１１０１ａにおいて復号され、同じく復号されたＡＣＫ／ＮＡＫ信号と共に、送信データ管理部１０２１へ出力される。
送信データ管理部１０２１へ入力されたシリアル番号ＳＮ１およびＡＣＫ／ＮＡＫ信号は、図２０に示す再送制御部４０２に入力され、再送制御部４０２は当該入力されたＡＣＫ／ＮＡＫ信号に対応するデータを、当該ＡＣＫ／ＮＡＫ信号と共に入力されたシリアル番号ＳＮ１に基づき認識する。【０１５４】
同様に、図２０に示す送信データ管理部１０２１の第２シリアル番号付加部４０４ｂにおいて付加されたシリアル番号ＳＮ２は、図１９に示す移動局２の第２誤り検出部２０５１ｂにおいて取り出され、第２誤り検出部２０５１ｂにおける誤り検出結果であるＡＣＫ／ＮＡＫ信号と共に、符号化部２０９ｂへ出力される。
符号化部２０９ｂへ入力されたシリアル番号ＳＮ２は、図１８に示す基地局１の復号化部１１０１ｂにおいて復号され、同じく復号されたＡＣＫ／ＮＡＫ信号と共に、送信データ管理部１０２１へ出力される。
送信データ管理部１０２１へ入力されたシリアル番号ＳＮ２およびＡＣＫ／ＮＡＫ信号は、図２０に示す再送制御部４０２に入力され、再送制御部４０２は当該入力されたＡＣＫ／ＮＡＫ信号に対応するデータを、当該ＡＣＫ／ＮＡＫ信号と共に入力されたシリアル番号ＳＮ２に基づき認識する。
基地局１および移動局２におけるその他の動作は、図５，図６および図１１に示したものと同様とすることができる。【０１５５】
図２１（ａ）は図１８に示した基地局１の第１無線送信部１０５ａからの各データの送信タイミングを例示する図である。図において、２１１１〜２１１３はそれぞれ１単位の送信信号（フレーム，サブフレーム，スロット等）である。これら１単位の送信信号の各々は、基地局１から移動局２へ送信するためのデータと当該データに対応するシリアル番号を含んでいる。図２１（ｂ）は図１９に示した移動局２の第１無線送信部２１１ａからの各ＡＣＫ／ＮＡＫ信号の送信タイミングである。図２１（ｃ）は図１８に示した基地局１の第１無線受信部１０８ａにおける各ＡＣＫ／ＮＡＫ信号の受信タイミングである。図において、２１２１〜２１２２はそれぞれdata1〜data2に対応するＡＣＫ／ＮＡＫ信号であり、ＳＮ１〜ＳＮ２はそれぞれdata1〜data2に対応するシリアル番号である。T2及びT3は互いに異なる時間間隔である。
図２１では、説明の簡単化のために、図１８に示した基地局１の第１無線送信部１０５aから図１９に示した移動局２の第１無線受信部２０２ａまでの信号伝搬時間、および図１９に示した移動局２の第１無線送信部２１１ａから図１８に示した基地局１の第１無線受信部１０８ａまでの信号伝搬時間を、ゼロとしている。
【０１５６】
図２１では、このように移動局２から基地局１へ送信される各ＡＣＫ／ＮＡＫ信号に、そのＡＣＫ／ＮＡＫ信号に対応するデータを特定するためのシリアル番号が付されているので、基地局１は当該シリアル番号に基づき、受信されたＡＣＫ／ＮＡＫ信号に対応するデータを特定することが可能となる。【０１５７】
図２０では、データ分配部４０３の後段に、各データにシリアル番号を付すためのシリアル番号付加部４０４ａ，４０４ｂを設けたが、図２２に示すように、データ分配部の前段に各データにシリアル番号を付すためのシリアル番号付加部４０５を設けてもよい。なお、図２２において、図２０と同一符号は、同一又は相当部分を示す。【０１５８】
また、図１８及び図１９では、移動局２の第１誤り検出部２０５１ａおよび第２誤り検出部２０５１ｂの各々からの出力が、互いに異なる無線周波数を介して基地局１へ送信されたが、図２３及び図２４に示すように、それら各々からの出力が、同一無線周波数を介して基地局１へ送信されてもよい。図２３及び図２４において、図１５、図１６、図１８及び図１９と同一符号は、同一又は相当部分を示す。
図２３に示す基地局１は、図１５に示す基地局１に比べて、復号化部１１４１から各ＡＣＫ／ＮＡＫ信号に対応するデータを識別するためのシリアル番号ＳＮが出力される点、及び送信データ管理部１０２に代えて送信データ管理部１０２１を有している点が相違する。当該送信データ管理部１０２１の構成は、図２０又は図２２に示した送信データ管理部１０２１と同様の構成を有する。
図２４に示す移動局２は、図１６に示す移動局２に比べて、第１誤り検出部２０５１ａおよび第２誤り検出部２０５１ｂの各々から、各ＡＣＫ／ＮＡＫ信号に対応するデータを識別するためのシリアル番号ＳＮが出力されている点で相違する。これら第１誤り検出部２０５１ａ及び第２誤り検出部２０５１ｂの構成は、図１９に示したものと同様の構成を有する。【０１５９】
即ち、図２４に示す第１誤り検出部２０５１ａ及び第２誤り検出部２０５１ｂの各々から出力されたＡＣＫ／ＮＡＫ信号は、各ＡＣＫ／ＮＡＫに対応するデータを識別するためのシリアル番号と共に、符号化部２１３へ入力される。符号化部２１３へ入力されたＡＣＫ／ＮＡＫ信号およびシリアル番号は、図２３に示す基地局１の復号化部１１４１において復号され、送信データ管理部１０２１へ出力される。
その他の動作は、図１５、図１６、図１８及び図１９のものと同様とすることができる。【０１６０】
実施の形態５．
本実施の形態においては、図６に示した移動局２の無線品質測定部２０８ａ及び２０８ｂの動作例、並びに図１１に示した送信制御部４０１の動作例について、図６に示した無線品質測定部２０８ａの動作を例にとり説明する。【０１６１】
本実施の形態５においては、移動局２の第１無線品質測定部２０８ａは、第１無線受信部２０２ａが受信する第１無線周波数帯域内における熱雑音及び他装置からの干渉波を測定すると共に、基地局１の第１無線送信部１０５ａから移動局２の第１無線受信部２０２ａまでの無線伝搬ロスを測定する。
更に詳しくは、第１無線品質測定部２０８ａは、第１無線周波数帯域内における熱雑音及び他装置からの干渉波による受信電力値を、第１無線受信部２０２ａにおけるデータ受信がないときに、第１無線周波数帯域内の受信電力値を積分することにより測定する。一方、第１無線受信部２０２ａにおいてデータ受信がある場合には、当該データの信号成分を積分対象から除外する。例えば、当該データ受信によって得られた復調信号を再度変調し、積分対象である全受信信号から減算した後、積分する。【０１６２】
基地局１の第１無線送信部１０５ａから移動局２の第１無線受信部２０２ａまでの無線伝搬ロスは、「基地局１の第１無線送信部１０５ａにおける所定信号の送信電力値」−「移動局２の第１無線受信部２０２ａにおける当該所定信号の受信電力値」を演算することにより求められる。基地局１の第１無線送信部１０５ａにおける当該所定信号の送信電力値は、予め基地局１から移動局２へ通知されている。移動局２の第１無線受信部２０２ａにおける当該所定信号の受信電力値は、第１無線周波数帯域内の受信電力値から、熱雑音及び他装置からの干渉波による受信電力値等を減算する等の処理により演算できる。【０１６３】
第１無線品質測定部２０８ａにおいて測定された、第１無線周波数帯域内における熱雑音及び他装置からの干渉による受信電力値と、第１無線送信部１０５ａから第１無線受信部２０２ａまでの無線伝搬ロスとについての情報は、移動局２から基地局１へ送信され、図１１に示した送信制御部４０１へ無線品質情報信号q1として入力される。
また同様に、図６に示した移動局２の第２無線品質測定部２０８ｂにおいても、第２無線受信部２０２ｂが受信する第２無線周波数帯域内における熱雑音及び他装置からの干渉による受信電力値と、第２無線送信部１０５ｂから第２無線受信部２０２ｂまでの無線伝搬ロスとが測定され、それら測定結果についての情報が、移動局２から基地局へ送信され、無線品質情報信号q2として図１１に示した送信制御部４０１へ入力される。【０１６４】
図１１に示した送信制御部４０１は、これら入力された無線品質情報信号q1及び／又はq2に基づき、第１マッピング部１０３ａへ入力するデータ量、及び／又は、第２マッピング部１０３ｂへ入力するデータ量を決定する。
なお、送信制御部４０１は、これら入力された無線品質情報信号の他に、たとえば、基地局１における各無線送信部１０５ａおよび１０５ｂの各々における最大送信可能電力、送信データバッファ部１０１に蓄積されているデータ量、送信ダイバーシチ有無、送信アンテナ数、誤り訂正方式、インターリーブ方式、パンクチャ／レペティション割合、受信データバッファ部２０７の容量、変調方式（16QAM/QPSKなど）、送信データの所要Ｅｂ／Ｎｏなどの情報に基づいて、第１マッピング部１０３ａへ入力するデータ量、及び／又は、第２マッピング部１０３ｂへ入力するデータ量を決定するようにしてもよい。ここで、送信データの所要Ｅｂ／Ｎｏは、送信データの１ビットあたりに必要となるエネルギーである。【０１６５】
また、図１１に示した送信制御部４０１へ入力される無線品質情報信号q1,q2は、無線品質測定部２０８ａ，２０８ｂの各々において測定される測定結果そのものであってもよいし、当該測定結果に基づき決定される任意のパラメータであってもよい。たとえば、無線品質測定部２０８ａ，２０８ｂの各々が、当該測定結果に基づいてＷＣＤＭＡにおけるＣＱＩの如きパラメータを決定し、当該パラメータが無線品質情報信号として送信制御部４０１へ入力されるようにしてもよい。【０１６６】
また、無線品質測定部２０８ａ又は２０８ｂにおいて測定される値として、ＳＩＲ（signal to interference ratio）やＳＩＮＲ(signal to noise plus interference ratio)を用いてもよい。たとえば、基地局１が送信電力が既知であるデータ系列を第１又は第２の無線周波数において送信しているときには、無線品質測定部２０８ａ又は２０８ｂにおいて、そのデータ系列についてのＳＩＲやＳＩＮＲを測定するようにしてもよい。【０１６７】
実施の形態６．
本実施の形態６においては、図１１に示した送信データバッファ部１０１において、送信すべきデータを固定長のデータブロックに分割して記憶する。固定長に満たないデータに対しては、所定の一つ又は複数のビットを付加することにより、固定長のデータブロックへと加工して記憶する。
更に詳しくは、図１１に示した送信制御部４０１は、第１マッピング部１０３ａ及び第２マッピング部１０３ｂの各々へ入力するデータブロック数を決定し、それら決定したデータブロック数をデータ分配部４０３および再送制御部４０２へ通知する。再送制御部４０２は、送信データバッファ部１０１を制御することにより、送信データバッファ部１０１からデータ分配部４０３へ送信制御部４０１から通知された数のデータブロックを出力させる。データ分配部４０３は、送信データバッファ部１０１から出力されたデータブロックを、送信制御部からの通知に基づき、第１マッピング部１０３ａおよび第２マッピング部１０３ｂへ振り分ける。【０１６８】
第１マッピング部１０３ａ及び／又は第２マッピング部１０３ｂは、入力されたデータブロック毎にＣＲＣビットを付加し、再送制御部４０２は、入力されるデータブロック毎のＡＣＫ／ＮＡＫ信号に基づき、データブロック単位で再送の要否を判断する。
あるいは、第１マッピング部１０３ａ及び／又は第２マッピング部１０３ｂは、入力されたデータブロックを連結して連結データブロックを生成し、当該連結データブロックに対してＣＲＣビットを付加する。連結データブロックに付加されるＣＲＣビットの数は、連結データブロックのサイズに応じて増減させる。再送制御部４０２は、連結データブロック単位でＡＣＫ／ＮＡＫ信号が入力され、当該連結データブロック単位で再送の要否を判断する。【０１６９】
実施の形態７．
本実施の形態においては、基地局１から移動局２へｎ番目（ｎは１以上の整数）に送信したデータに対応するＡＣＫ信号が、基地局１から移動局２へｍ番目（ｍはｎ以上の整数）のデータを送信した後になっても、基地局１において受信されない場合には、基地局１から移動局２への（ｍ＋１）番目以降のデータの送信を、当該ｎ番目のデータに対応するＡＣＫ信号が基地局１において受信されるまで、中止する。
送信の中止後、当該ｎ番目のデータに対応するＡＣＫ信号が基地局１において受信され、基地局１からのデータ送信を再開する場合には、当該ｎ番目のデータに後続する（ｎ＋１）番目のデータから送信を開始してもよいし、即ち、（ｎ＋１）番目からｍ番目までのデータを再送してもよいし、（ｍ＋１）番目のデータから送信を再開してもよい。
送信の中止後、（ｎ＋１）番目のデータから送信を再開する場合には、送信の中止中、移動局２は（ｎ＋１）番目以降の受信データを必ずしもバッファする必要がなくなる。
送信の中止後、（ｍ＋１）番目のデータから送信を再開する場合には、送信の再開後、基地局１は移動局２において正常に受信済みのデータを、移動局２へ送信する必要がなくなる。
また、送信の中止中であっても、当該ｎ番目のデータの再送のための送信のみ、あるいは当該ｎ番目から（ｍ＋１）番目までのデータの再送のための送信については、行うようにしてもよい。
また、当該ｎ番目およびｍ番目との表現におけるｎ及びｍの値のカウントは、新たなデータの送信毎にカウントアップし、再送のための送信時にはカウントアップしないようにしてもよいし、してもよい。【０１７０】
具体的に説明する。例えば、図２２に示す再送制御部４０２は、送信データバッファ部１０１から出力されたデータの中で、対応するＡＣＫ信号が入力されていないデータのシリアル番号と、送信データバッファ１０１に次に出力指示する新たなデータのシリアル番号とを比較する。そして、比較の結果、両者のシリアル番号の差が閾値diff1以上である場合には、再送制御部４０２は、当該出力指示を中止する。
再送制御部４０２は、当該出力指示の中止後、当該ＡＣＫ信号が入力されていないデータについてのＡＣＫ信号が入力された場合には、当該出力指示を再開する。
ここで閾値diff1は、上位レイヤや上位装置から通知されるようにしてもよいし、予め再送制御部４０２に記憶されていてもよい。
また、この閾値diff1は、移動局２の受信バッファサイズに基づき決定されるのが好ましく、移動局２毎に異なる値としてもよい。
また、データに付されるシリアル番号が、０、１、２、・・・、６２、６３、０、１、・・・というように、０〜６３までを循環する循環番号である場合には、二つのシリアル番号の差は、例えば、 Modulo64(64+次回シリアル番号-NAKになったシリアル番号) により計算される。【０１７１】
実施の形態８．
本実施の形態においては、「基地局１から移動局２へ送信したデータ量」と、「基地局１において対応するＡＣＫ信号が受信されたデータ量」とを比較して、その差が所定値以上である場合には、その差が所定値以下になるまで、基地局１から移動局２への送信を中止する。なお、その際、基地局１から移動局２への再送のための送信は中止してもよいし、しなくともよい。
例えば、基地局１から移動局２に対して６４０byteのデータを８回送信した場合に、それに対して基地局１において１回のＡＣＫ信号が受信された場合には、「基地局１から移動局２へ送信したデータ量」は６４０×８（＝５１２０）byteであり、「基地局１において対応するＡＣＫ信号が受信されたデータ量」は６４０×１（＝６４０）byteである。従って、「基地局１から移動局２へ送信したデータ量」と「基地局１において対応するＡＣＫ信号が受信されたデータ量」との差は、５１２０−６４０（＝４４８０）byteとなる。
具体的には、図１１において、再送制御部４０２は、送信データバッファ部１０１から出力されたデータ量と、対応するＡＣＫ信号が入力されたデータ量とを比較し、その差が閾値diff2以上である場合には、再送制御部４０２は、送信データバッファ部１０１に対する新たなデータの出力指示を中止する。再送制御部４０２は、当該出力指示の中止後、当該差が閾値diff2を下回った場合には、送信データバッファ部１０１に対して新たなデータの出力指示を再開する。
ここで閾値diff2は、上位レイヤや上位装置から通知されるようにしてもよいし、予め再送制御部４０２に記憶されていてもよい。
また、この閾値diff2は、移動局２の受信バッファサイズに基づき決定されるのが好ましく、移動局２毎に異なる値としてもよい。【０１７２】
実施の形態９．
本実施の形態においては、図１５及び図１６に示したＣＤＭＡ無線通信システムにおける図１６に示した移動局２から図１５に示した基地局１へのＡＣＫ／ＮＡＫ信号の送信方法について例示する。【０１７３】
図２５は、図１５及び図１６に示したＣＤＭＡ無線通信システムにおける移動局２から基地局１へのＡＣＫ／ＮＡＫ信号の送信方法の第１の例を示す図である。
図２５において、２５０１は図１６に示した第１誤り検出部２０５ａにおける誤り検出結果に対応するＡＣＫ／ＮＡＫ信号であり、２５０２は図１６に示した第２誤り検出部２０５ｂにおける誤り検出結果に対応するＡＣＫ／ＮＡＫ信号である。即ち、２５０１は基地局１から第１無線周波数を用いて送信されたデータに対する移動局２における誤り検出結果に対応する信号であり、２５０２は基地局１から第２無線周波数を用いて送信されたデータに対する移動局２における誤り検出結果に対応する信号である。図２５において、横軸は時間軸、縦軸は移動局２から基地局１への送信に利用される第３無線周波数における電力であり、Ｔｆは１単位（フレーム，サブフレーム，スロット等）の時間長である。ここでは、ＡＣＫ／ＮＡＫ信号２５０１とＡＣＫ／ＮＡＫ信号２５０２は、それぞれ同一の物理チャネルの予め定められた異なるタイミングにおいて送信されている。【０１７４】
図２５に示すＡＣＫ／ＮＡＫ信号の送信方法では、移動局２から基地局１への各ＡＣＫ／ＮＡＫ信号の送信タイミングを、そのＡＣＫ／ＮＡＫ信号に対応するデータが第１無線周波数および第２無線周波数のいずれで送信されたかに応じて決めることができる。このため、移動局２は、ＡＣＫ／ＮＡＫ信号の送信毎にそのＡＣＫ／ＮＡＫ信号に対応する無線周波数を識別するための情報を送信する必要がない。なお、図２５においては、図１６に示した無線品質測定部２０８ａおよび２０８ｂから出力される無線品質情報信号に対応する信号の記載は省略している。【０１７５】
図２６は、図１５及び図１６に示したＣＤＭＡ無線通信システムにおける移動局２から基地局１へのＡＣＫ／ＮＡＫ信号の送信方法の第２の例を示す図である。
図２６において、２６０１は図１６に示した第１誤り検出部２０５ａにおける誤り検出結果に対応するＡＣＫ／ＮＡＫ信号であり、２６０２は図１６に示した第２誤り検出部２０５ｂにおける誤り検出結果に対応するＡＣＫ／ＮＡＫ信号である。図２６において、ＡＣＫ／ＮＡＫ信号２６０１及びＡＣＫ／ＮＡＫ信号２６０２は、それぞれ同一無線周波数の異なる物理チャネルに符号多重されている。 図２６において、ＡＣＫ／ＮＡＫ信号２６０１とＡＣＫ／ＮＡＫ信号２６０２は、送信タイミングが同時であっても異なってもよい。図２６においては、図１６に示した無線品質測定部２０８ａおよび２０８ｂから出力される無線品質情報信号に対応する信号の記載は省略している。【０１７６】
実施の形態１０．
本実施の形態においては、実施の形態９に示した例とは異なるＡＣＫ／ＮＡＫ信号の送信方法を例示する。本実施の形態１０においては、基地局１及び移動局２がそれぞれ図２７及び図２８に示す構成を有する。図２７及び図２８において、図１５及び図１６と同一符号は、同一又は相当部分を示す。
図２８において、移動局２の第１誤り検出部２０５ａから出力された誤り検出結果および第２誤り検出部２０５ｂから出力された誤り検出結果は、ＡＣＫ／ＮＡＫ信号処理部２１７において、所定の信号に変換され、ＡＣＫ／ＮＡＫ情報信号として、符号化部２１３へ入力される。このＡＣＫ／ＮＡＫ情報信号は、図２７に示す復号化部１１４より出力され、送信データ管理部１０２２へ出力される。送信データ管理部１０２２は、復号化部１１４より出力される無線品質情報信号q1,q2およびＡＣＫ／ＮＡＫ情報信号に基づき、送信データバッファ部１０１からのデータの読み出し制御、および、当該読み出されたデータの第１マッピング部１０３ａおよび第２マッピング部１０３ｂへの振り分けを行う。【０１７７】
図２９は、図２７及び図２８に示したＣＤＭＡ無線通信システムにおける移動局２から基地局１へ送信されるＡＣＫ／ＮＡＫ情報信号の第１の例を示す図である。
この第１の例においては、図２７及び図２８に示したＣＤＭＡ無線通信システムにおいて、第１無線送信部１０５ａにおいて用いられる第１無線周波数および第２無線送信部１０５ｂにおいて用いられる第２無線周波数として採用され得る全ての無線周波数のそれぞれに、互いに異なる周波数番号が予め割り当てられており、図２８に示したＡＣＫ／ＮＡＫ信号処理部２１７は、移動局２から基地局１へ送信する各ＡＣＫ／ＮＡＫ信号に、そのＡＣＫ／ＮＡＫ信号に対応する第１無線周波数又は第２無線周波数の上記周波数番号を示す周波数識別信号を付加したものを、ＡＣＫ／ＮＡＫ情報信号として出力する。【０１７８】
図２９において、２９０１は第１無線周波数の周波数番号を示す周波数識別信号、２９０２は第１誤り検出部２０５ａにおける誤り検出結果に対応するＡＣＫ／ＮＡＫ信号、２９０３は第２無線周波数の周波数番号を示す周波数識別信号、２９０４は第２誤り検出部２０５ｂにおける誤り検出結果に対応するＡＣＫ／ＮＡＫ信号である。図２９においては、図２８に示した無線品質測定部２０８ａおよび２０８ｂから出力される無線品質情報信号に対応する信号の記載は省略している。【０１７９】
更に詳しくは、図２８に示すＡＣＫ／ＮＡＫ信号処理部２１７は、第１誤り検出部２０５ａから出力されたＡＣＫ／ＮＡＫ信号に、第１無線周波数の周波数番号を示す周波数識別信号を付加したものをＡＣＫ／ＮＡＫ情報信号として符号化部２１３へ出力する。また、ＡＣＫ／ＮＡＫ信号処理部２１７は、第２誤り検出部２０５ｂから出力されたＡＣＫ／ＮＡＫ信号に、第２無線周波数の周波数番号を示す周波数識別信号を付加したものをＡＣＫ／ＮＡＫ情報信号として符号化部２１３へ出力する。符号化部２１３へ入力された信号は、図２７に示す基地局１の復号化部１１４から出力され、送信データ管理部１０２２へ入力される。送信データ管理部１０２２は、このＡＣＫ／ＮＡＫ情報信号中のＡＣＫ／ＮＡＫ信号に対応するデータを、このＡＣＫ／ＮＡＫ情報信号中の周波数識別信号に基づき特定する。
【０１８０】
このようなＡＣＫ／ＮＡＫ情報信号の送信方法によれば、ＡＣＫ／ＮＡＫ信号の送信毎に、当該ＡＣＫ／ＮＡＫ信号に対応するデータが送信された第１無線周波数又は第２無線周波数の無線周波数を識別するための周波数識別信号を送信するので、ＡＣＫ／ＮＡＫ信号一つあたりのオーバーヘッドは増加するものの、第１無線周波数および第２無線周波数の各々の周波数が可変である場合に、各ＡＣＫ／ＮＡＫ信号がいずれの無線周波数で送信されたデータに対応するものなのかを、基地局１へ確実に通知することができる。【０１８１】
なお、ここでは無線周波数毎に周波数番号を割り当てる例を示したが、第１無線周波数として用いられる無線周波数と第２無線周波数として用いられる無線周波数とのセット毎に１つの識別記号を割り当てて、その識別記号を少なくとも一つのＡＣＫ／ＮＡＫ信号に付加して送信するようにしてもよい。
また、図２９では、移動局２から基地局１への送信において、ＡＣＫ／ＮＡＫ情報信号全体を同一無線周波数の同一物理チャネルを用いて送信している例を示したが、ＡＣＫ／ＮＡＫ情報信号を構成する一部の信号を同一無線周波数に符号多重された別の物理チャネルを用いて送信するようにしてもよい。【０１８２】
実施の形態１１．
図３０は、図２７及び図２８に示したＣＤＭＡ無線通信システムにおける移動局２から基地局１へ送信されるＡＣＫ／ＮＡＫ情報信号の第２の例を示す図である。
この第２の例においては、図２８に示したＡＣＫ／ＮＡＫ信号処理部２１７は、移動局２における受信誤りの有無（以下、ＮＡＫ有無と称す）を示すＮＡＫ有無情報信号の後ろに、受信誤りが生じた無線周波数の周波数番号を示す周波数識別信号を付加したものを、ＡＣＫ／ＮＡＫ情報信号として出力する。このＡＣＫ／ＮＡＫ情報信号を受信した基地局１は、まずＡＣＫ／ＮＡＫ情報信号に含まれるＮＡＫ有無情報信号を確認し、そのＮＡＫ有無情報信号が受信誤り有り（以下、ＮＡＫ有りと称す）を示すものである場合には、そのＮＡＫ有無情報信号の後ろに付加された周波数識別信号を用いて所定の処理を行う。一方、基地局１はそのＮＡＫ有無情報信号が受信誤り無し（以下、ＮＡＫ無しと称す）を示すものである場合には、そのＮＡＫ有無情報信号の後ろに付加された周波数識別信号を用いての当該処理の全て又は一部の処理を省略する。【０１８３】
図３０において３００１はＮＡＫ有無を示すＮＡＫ有無情報信号、３００２及び３００３はそれぞれＮＡＫ有りである無線周波数の周波数番号を示す周波数識別信号である。図３０においては、図２８に示した無線品質測定部２０８ａおよび２０８ｂから出力される無線品質情報信号に対応する信号の記載は省略している。【０１８４】
具体的には、図２８に示したＡＣＫ／ＮＡＫ信号処理部２１７は、１単位（フレーム，サブフレーム，スロット等）の時間内に、第１誤り検出部２０５ａおよび第２誤り検出部２０５ｂの双方において誤りが検出されなかった場合に、ＮＡＫ無しを示すＮＡＫ有無情報信号を、ＡＣＫ／ＮＡＫ情報信号として出力する。一方、ＡＣＫ／ＮＡＫ信号処理部２１７は、１単位（フレーム，サブフレーム，スロット等）の時間内に、第１誤り検出部２０５ａおよび第２誤り検出部２０５ｂの少なくともいずれかにおいて誤りが検出された場合には、ＮＡＫ有りを示すＮＡＫ有無情報信号の後ろに、その誤りが検出された無線周波数の周波数番号を示す周波数識別信号を付加したものを、ＡＣＫ／ＮＡＫ情報信号として出力する。【０１８５】
好ましくは、ＡＣＫ／ＮＡＫ情報信号を移動局２から基地局１へ送信するに際して、移動局２において、当該ＮＡＫ有無情報信号の誤り訂正符号化を行わず、当該周波数識別信号の誤り訂正符号化を行うことが好ましい。この誤り符号化方式としては、例えばreed-mullerのような誤り訂正符号化を利用することが可能である。【０１８６】
このように、移動局２から基地局１に対してＡＣＫ／ＮＡＫ情報信号を送信するに際して、当該ＡＣＫ／ＮＡＫ情報信号中のＮＡＫ有無情報信号の誤り訂正符号化を行わず、当該ＡＣＫ／ＮＡＫ情報信号中の周波数識別信号を誤り訂正符号化した場合には、基地局１において、当該ＮＡＫ有無情報信号がＮＡＫ無しを示すものである場合には、当該周波数識別信号の誤り訂正のための処理を省略することができる。【０１８７】
実施の形態１２．
図３１は、図２７及び図２８に示したＣＤＭＡ無線通信システムにおける移動局２から基地局１へ送信されるＡＣＫ／ＮＡＫ情報信号の第３の例を示す図である。
図３０に示す第２の例においては、移動局２から基地局１への送信において、ＡＣＫ／ＮＡＫ情報信号全体を同一無線周波数の同一物理チャネルに符号多重化して送信している。第３の例においては、図３０に示したＡＣＫ／ＮＡＫ情報信号を、同一無線周波数上の互いに異なる複数の物理チャネルを用いて送信する。図３１において、図３０と同一符号は同一又は相当部分を示す。【０１８８】
図３１においては、ＮＡＫ有無情報信号３００１、周波数識別信号３００２、周波数識別信号３００３が、それぞれ同一無線周波数に符号多重された互いに異なる物理チャネルを用いて送信される。
このようなＡＣＫ／ＮＡＫ情報信号の送信方法によれば、移動局２は、ＮＡＫ有無情報信号３００１がＮＡＫ無しを示すものである場合に、周波数識別信号３００２、および周波数識別信号３００３の送信を中止することができ、その場合、移動局２における消費電力を抑制することができる。
また、このようなＡＣＫ／ＮＡＫ情報信号の送信方法によれば、基地局１は、図３１に示すＮＡＫ有無情報信号３００１を含む物理チャネルを逆拡散して、それがＮＡＫ無しを示すものである場合には、その他の周波数識別信号３００２，周波数識別信号３００３を含む各物理チャネルを逆拡散しないようにすることもでき、これにより、基地局１における消費電力を抑制することができる。【０１８９】
実施の形態１３．
図３２は、図２７及び図２８に示したＣＤＭＡ無線通信システムにおける移動局２から基地局１へ送信されるＡＣＫ／ＮＡＫ情報信号の第４の例を示す図である。
第４の例では、基地局１において、ＣＲＣ符号がデータブロック毎に付加され、移動局２においてデータブロック毎に誤り検出処理を行う場合を想定して、ＡＣＫ／ＮＡＫ情報信号を、ＮＡＫ有無情報信号と、データブロック識別信号から構成する。
図３２において３２０１はＮＡＫ有無を示すＮＡＫ有無情報信号、３２０２〜３２０５はそれぞれＮＡＫ有りであるデータブロックの識別番号を示す周波数識別信号である。【０１９０】
この第４の例においては、図２８に示したＡＣＫ／ＮＡＫ信号処理部２１７は、移動局２におけるＮＡＫ有無示すＮＡＫ有無情報信号の後ろに、受信誤りが生じたデータブロックの識別番号を示すデータブロック識別信号を付加したものを、ＡＣＫ／ＮＡＫ情報信号として出力する。このＡＣＫ／ＮＡＫ情報信号を受信した基地局１は、まずＡＣＫ／ＮＡＫ情報信号に含まれるＮＡＫ有無情報信号を確認し、そのＮＡＫ有無情報信号がＮＡＫ有りを示すものである場合には、そのＮＡＫ有無情報信号の後ろに付加されたデータブロック識別信号を用いて所定の処理を行う。一方、基地局１はそのＮＡＫ有無情報信号がＮＡＫ無しを示すものである場合には、そのＮＡＫ有無情報信号の後ろに付加されたデータブロック識別信号を用いての当該処理の全て又は一部の処理を省略する。【０１９１】
具体的には、図２８に示したＡＣＫ／ＮＡＫ信号処理部２１７は、１単位（フレーム，サブフレーム，スロット等）の時間内に、第１誤り検出部２０５ａおよび第２誤り検出部２０５ｂの双方において誤りが検出されなかった場合に、ＮＡＫ無しを示すＮＡＫ有無情報信号を、ＡＣＫ／ＮＡＫ情報信号として出力する。一方、ＡＣＫ／ＮＡＫ信号処理部２１７は、１単位（フレーム，サブフレーム，スロット等）の時間内に、第１誤り検出部２０５ａおよび第２誤り検出部２０５ｂの少なくともいずれかにおいて、誤りが検出された場合には、ＮＡＫ有りを示すＮＡＫ有無情報信号の後ろに、その誤りが検出されたデータブロックの識別番号を示すデータブロック識別信号を付加したものを、ＡＣＫ／ＮＡＫ情報信号として出力する。【０１９２】
好ましくは、ＡＣＫ／ＮＡＫ情報信号を移動局２から基地局１へ送信するに際して、移動局２において、当該ＮＡＫ有無情報信号の誤り訂正符号化を行わず、当該データブロックの識別番号の誤り訂正符号化を行うことが好ましい。この誤り符号化方式としては、例えばreed-mullerのような誤り訂正符号化を利用することが可能である。【０１９３】
このように、移動局２から基地局１に対してＡＣＫ／ＮＡＫ情報信号を送信するに際して、当該ＡＣＫ／ＮＡＫ情報信号中のＮＡＫ有無情報信号の誤り訂正符号化を行わず、当該ＡＣＫ／ＮＡＫ情報信号中のデータブロック識別信号を誤り訂正符号化した場合には、基地局１において、当該ＮＡＫ有無情報信号がＮＡＫ無しを示すものである場合には、当該データブロック識別信号の誤り訂正のための処理を省略することができる。【０１９４】
なお、図３２においては、移動局２から基地局１への送信において、ＡＣＫ／ＮＡＫ情報信号全体を同一無線周波数の同一物理チャネルを用いて送信する例を示したが、ＡＣＫ／ＮＡＫ情報信号を構成する一部の信号を同一無線周波数に符号多重された別の物理チャネルを用いて送信するようにしてもよい。
実施の形態１４．【０１９５】
図３３は、図２７及び図２８に示したＣＤＭＡ無線通信システムにおける移動局２から基地局１へ送信されるＡＣＫ／ＮＡＫ情報信号の第５の例を示す図である。
第４の例では、ＮＡＫ有無情報信号が、ＮＡＫ有り、ＮＡＫ無しの２状態を示した。第５の例では、ＮＡＫ有無情報信号が、ＮＡＫ無し、ＮＡＫ有り、全ＮＡＫの３状態を示す。
図３３において、３３０１は当該ＮＡＫ有無情報信号、３３０２及び３３０３はそれぞれＮＡＫ有りであるデータブロックの識別番号を示すデータブロック識別信号である。【０１９６】
この第５の例においては、図２８に示したＡＣＫ／ＮＡＫ信号処理部２１７は、１単位（フレーム，サブフレーム，スロット等）の時間内に、第１誤り検出部２０５ａおよび第２誤り検出部２０５ｂの双方において誤りが検出されなかった場合に、ＮＡＫ無しを示すＮＡＫ有無情報信号を、ＡＣＫ／ＮＡＫ情報信号として出力する。【０１９７】
一方、ＡＣＫ／ＮＡＫ信号処理部２１７は、１単位（フレーム，サブフレーム，スロット等）の時間内に、第１誤り検出部２０５ａおよび第２誤り検出部２０５ｂの少なくともいずれかにおいて、誤りが検出された場合であって、その誤りが検出されたデータブロックの数が所定数以下（例えば２個以下）である場合に、ＮＡＫ有りを示すＮＡＫ有無情報信号の直後に、その誤りが検出されたデータブロックの識別番号を示すデータブロック識別信号を付加したものを、ＡＣＫ／ＮＡＫ情報信号として出力する。【０１９８】
また、ＡＣＫ／ＮＡＫ信号処理部２１７は、１単位（フレーム，サブフレーム，スロット等）の時間内に、第１誤り検出部２０５ａおよび第２誤り検出部２０５ｂの少なくともいずれかにおいて、誤りが検出された場合であって、その誤りが検出されたデータブロックの数が所定数（例えば２個）よりも多い場合に、全ＮＡＫを示すＮＡＫ有無情報信号を、ＡＣＫ／ＮＡＫ情報信号として出力する。【０１９９】
このＡＣＫ／ＮＡＫ情報信号を受信した基地局１は、まずＡＣＫ／ＮＡＫ情報信号に含まれるＮＡＫ有無情報信号を確認し、ＮＡＫ無しと判断される場合には、その後のデータブロック識別信号に基づく全て又は一部の処理を省略する。また、基地局１は、当該ＡＣＫ／ＮＡＫ情報信号に含まれるＮＡＫ有無情報信号に基づき、ＮＡＫ有りと判断される場合には、当該ＡＣＫ／ＮＡＫ情報信号に含まれるデータブロック識別信号に基づく処理を行う。また、基地局１は、該ＡＣＫ／ＮＡＫ情報信号に含まれるＮＡＫ有無情報信号に基づき、全ＮＡＫと判断される場合には、１単位の時間内に基地局１から移動局２へ送信した全てのデータブロックが移動局２において誤って受信されたと認識して処理を行う。【０２００】
なお、ＮＡＫ有りを示すＮＡＫ有無情報信号は、例えば全てのビットが「-1」である連続する10bitの信号、即ち-1,-1,-1,-1,-1,-1,-1,-1,-1,-1とすることができ、全ＮＡＫを示すＮＡＫ有無情報信号は、例えば全てのビットが「+1」である連続する10bitの信号、即ち+1,+1,+1,+1,+1,+1,+1,+1,+1,+1とすることができ、ＮＡＫ無しを示すＮＡＫ有無情報信号は、ＮＡＫ有りでも全ＮＡＫでもない信号、例えば全てのビットが「0」である連続する10bitの信号とすることができる。全てのビットが「０」である連続ビットは、移動局２からの送信電力をゼロとすることにより基地局１へ送信でき、最も発生確率の高いＮＡＫ無しを示すＮＡＫ有無情報信号を全てのビットが「０」である連続ビットとすることにより、移動局２における消費電力を抑制することができる。
【０２０１】
また、ＮＡＫ有りを示すＮＡＫ有無情報信号を、全てのビットが「０」である連続ビットとし、ＮＡＫなしを示すＮＡＫ有無情報信号を、全てのビットが「＋１又は−１」である連続ビットとし、全ＮＡＫを示すＮＡＫ有無情報信号を、全てのビットが「−１又は＋１」である連続ビットとすることもでき、この場合には、ＮＡＫ有無情報信号の基地局１における受信誤りにより、ＮＡＫなしのＮＡＫ有無情報信号を基地局１が全ＮＡＫのＮＡＫ有無情報信号に誤認識する可能性を低減することができる。
【０２０２】
なお、図３３においては、移動局２から基地局１への送信において、ＡＣＫ／ＮＡＫ情報信号のＮＡＫ有無情報信号３３０１と、ＡＣＫ／ＮＡＫ情報信号のデータブロック識別信号３３０２と、データブロック識別信号３３０３とを、同一無線周波数上の互いに異なる物理チャネルを用いて送信しているが、ＡＣＫ／ＮＡＫ情報信号全体を同一無線周波数の同一物理チャネルを用いて送信するようにしてもよい。【０２０３】
実施の形態１５．
図３４は、図２７及び図２８に示したＣＤＭＡ無線通信システムにおける移動局２から基地局１へ送信されるＡＣＫ／ＮＡＫ情報信号の第６の例を示す図である。
第６の例では、ＡＣＫ／ＮＡＫ情報信号中の全てのデータブロック識別信号が、ＡＣＫ／ＮＡＫ情報信号中のＮＡＫ有無情報信号の送信後に送信されている。
図３４において、３４０１はＮＡＫ有無を示すＮＡＫ有無情報信号であり、３４０２及び３４０３は、それぞれＮＡＫ有りであるデータブロックの識別番号を示すデータブロック識別信号である。【０２０４】
更に具体的には、図２８に示したＡＣＫ／ＮＡＫ信号処理部２１７は、１単位（フレーム，サブフレーム，スロット等）の時間内に、第１誤り検出部２０５ａおよび第２誤り検出部２０５ｂの双方において誤りが検出されなかった場合に、ＮＡＫ無しを示すＮＡＫ有無情報信号を、ＡＣＫ／ＮＡＫ情報信号として出力する。一方、ＡＣＫ／ＮＡＫ信号処理部２１７は、１単位（フレーム，サブフレーム，スロット等）の時間内に、第１誤り検出部２０５ａおよび第２誤り検出部２０５ｂの少なくともいずれかにおいて、誤りが検出された場合には、ＮＡＫ有りを示すＮＡＫ有無情報信号の後ろに、その誤りが検出されたデータブロックの識別番号を示すデータブロック識別信号を付加したものを、ＡＣＫ／ＮＡＫ情報信号として出力する。【０２０５】
このようにして生成されたＡＣＫ／ＮＡＫ情報信号は、図３４に示すように、ＮＡＫ有無情報信号とデータブロック識別信号とが異なるタイミングにて送信される。
このＡＣＫ／ＮＡＫ情報信号を受信した基地局１は、まずＡＣＫ／ＮＡＫ情報信号に含まれるＮＡＫ有無情報信号を確認し、ＮＡＫ無しと判断される場合には、その後のデータブロック識別信号に基づく全て又は一部の処理を省略する。【０２０６】
実施の形態１６．
図３５は、図２７及び図２８に示したＣＤＭＡ無線通信システムにおける移動局２から基地局１へ送信されるＡＣＫ／ＮＡＫ情報信号の第７の例を示す図である。
第７の例では、ＡＣＫ／ＮＡＫ情報信号中のＮＡＫ有無情報信号を送信するために用いられる拡散率及び送信電力と、ＡＣＫ／ＮＡＫ情報信号中のデータブロック識別信号を送信するために用いられる拡散率及び送信電力とを異ならせている。【０２０７】
図３５において、３４０１はＮＡＫ有無を示すＮＡＫ有無情報信号であり、３５０１〜３５０４は、それぞれＮＡＫ有りであるデータブロックの識別番号を示すデータブロック識別信号である。
更に具体的には、図２８に示したＡＣＫ／ＮＡＫ信号処理部２１７は、１単位（フレーム，サブフレーム，スロット等）の時間内に、第１誤り検出部２０５ａおよび第２誤り検出部２０５ｂの双方において誤りが検出されなかった場合に、ＮＡＫ無しを示すＮＡＫ有無情報信号を、ＡＣＫ／ＮＡＫ情報信号として出力する。一方、ＡＣＫ／ＮＡＫ信号処理部２１７は、１単位（フレーム，サブフレーム，スロット等）の時間内に、第１誤り検出部２０５ａおよび第２誤り検出部２０５ｂの少なくともいずれかにおいて、誤りが検出された場合には、ＮＡＫ有りを示すＮＡＫ有無情報信号の後ろに、その誤りが検出されたデータブロックの識別番号を示すデータブロック識別信号を付加したものを、ＡＣＫ／ＮＡＫ情報信号として出力する。
【０２０８】
このようにして生成されたＡＣＫ／ＮＡＫ情報信号は、図３５に示すような拡散率および送信電力で移動局２から送信される。即ち、ＡＣＫ／ＮＡＫ情報信号中のデータブロック識別信号の送信に用いられる拡散率を、ＡＣＫ／ＮＡＫ情報信号中のＮＡＫ有無情報信号の送信に用いられる拡散率よりも低減させている。その一方で、データブロック識別信号の拡散率を低くしたことにより、ＮＡＫ有無情報信号に比べてデータブロック識別信号の基地局１における受信誤りが増加することを避けるため、データブロック識別信号の送信電力を増加させている。
このＡＣＫ／ＮＡＫ情報信号を受信した基地局１は、まずＡＣＫ／ＮＡＫ情報信号に含まれるＮＡＫ有無情報信号を確認し、ＮＡＫ無しと判断される場合には、その後のデータブロック識別信号に対する全て又は一部の処理を省略する。
【０２０９】
実施の形態１７．
図３６は、図２７及び図２８に示したＣＤＭＡ無線通信システムにおける移動局２から基地局１へ送信されるＡＣＫ／ＮＡＫ情報信号の第８の例を示す図である。
第８の例では、図２８に示したＡＣＫ／ＮＡＫ信号処理部２１７は、ＮＡＫ有無を示すＮＡＫ有無情報信号の後ろに、ＮＡＫ有りであるデータブロックの識別番号を示すデータブロック識別信号を付加し、更にその後ろに、データブロック識別信号のためのＣＲＣ符号を付加したものを、ＡＣＫ／ＮＡＫ情報信号として出力する。
これにより、ＮＡＫ有無情報信号に比べてデータブロック識別信号の方が受信誤りが生じ易い場合において、基地局１は移動局２から送信されたデータブロック識別信号のＣＲＣ符号による誤り検出を行うことができる。なお、基地局１は、当該データブロック識別信号のＣＲＣ符号による誤り検出の結果、当該データブロック識別信号が誤って受信されたと判断される場合には、そのＡＣＫ／ＮＡＫ情報信号に対応する１単位（フレーム，サブフレーム，スロット等）の時間内に送信した全てのデータブロックを再度、移動局へ送信する。
また、ここでは、データブロック識別信号のためのＣＲＣ符号を付加したが、データブロック識別信号を誤り訂正符号化などして送信するようにしてもよい。【０２１０】
実施の形態１８．
本実施の形態においては、移動局は基地局に対して、ＣＱＩ等の無線品質情報信号を間欠的に送信し、当該無線品質情報信号が送信されない期間を利用して、データブロック識別信号を送信する。
特に、移動局から基地局へデータブロック識別信号を送信する必要がある場合には、無線品質情報信号よりもデータブロック識別信号を優先して移動局から基地局へ送信する。即ち、無線品質情報信号を基地局へ送信しない場合に比べ、ＮＡＫ有りであるデータブロックを示すデータブロック識別信号３７０５を基地局へ送信しない場合の方がスループット低下が生じやすい。そこで、本実施の形態においては、無線品質情報信号の送信要求とデータブロック識別信号の送信要求とが同時に発生した場合には、無線品質情報信号の送信を行わず、データブロック識別信号を基地局へ送信する。【０２１１】
図３７は、図２７及び図２８に示したＣＤＭＡ無線通信システムにおける移動局２から基地局１へ送信されるＡＣＫ／ＮＡＫ情報信号の第９の例を示す図である。図３７においては、ＮＡＫ無しを示すＮＡＫ有無情報信号３７０１と、無線品質情報信号３７０２と、ＮＡＫ有りを示すＮＡＫ有無情報信号３７０３と、ＮＡＫ有りであるデータブロックの識別番号を示すデータブロック識別信号３７０５とが同一物理チャネルを用いて送信されている。【０２１２】
実施の形態１９．
本実施の形態においては、一つの基地局が複数の移動局と通信する場合について例示する。図３８は本実施の形態におけるＣＤＭＡ無線通信システムを例示する図である。図において３８０１は基地局、３８０２〜３８０４は基地局３８０１とシェアド物理チャネルを用いて通信する移動局、３８０５は基地局３８０１と個別物理チャネルを用いて通信する移動局である。【０２１３】
図３９は、互い異なる無線周波数における基地局３８０１における送信電力を例示する図である。図３９（ａ）〜図３９（ｃ）はそれぞれ第１無線周波数、第２無線周波数、第３無線周波数における基地局３８０１からの送信電力を例示する図である。図３９において、３９２１〜３９２４は図３８に示した移動局３８０２のために用いられるシェアド物理チャネルの送信電力であり、３９３１〜３９３２は図３８に示した移動局３８０３のために用いられるシェアド物理チャネルの送信電力であり、３９４１〜３９４３は図３８に示した移動局３８０４のために用いられるシェアド物理チャネルの送信電力であり、３９５１は、図３８に示した移動局３８０５のために用いられる個別物理チャネルの送信電力である。また、３９６１〜３９６３は基地局３８０１から送信されるその他の送信電力である。また、３９７１〜３９７３は、それぞれ基地局３８０１が各無線周波数において送信可能な最大送信電力である。
このように、移動局毎にその移動局のために用いられる複数のシェアド物理チャネルの無線周波数の組み合わせを異ならせることによって、特定の無線周波数への送信電力の集中を抑制することができる。【０２１４】
図４０は、互い異なる無線周波数における基地局３８０１における受信電力を例示する図である。図４０（ａ）〜図４０（ｃ）はそれぞれ第４無線周波数、第５無線周波数、第６無線周波数における基地局３８０１における受信電力を例示する図である。図４０において、４０２１〜４０２３は図３８に示した基地局３８０１において受信される移動局３８０２からのＡＣＫ／ＮＡＫ信号などの制御信号の受信電力であり、４０３１は図３８に示した基地局３８０１において受信される移動局３８０３からのＡＣＫ／ＮＡＫ信号などの制御信号の受信電力であり、４０４１は図３８に示した基地局３８０１において受信される移動局３８０４からのＡＣＫ／ＮＡＫ信号などの制御信号の受信電力である。また、４０５１〜４０５３は図３８に示した基地局３８０１において受信されるその他の受信電力である。【０２１５】
図４０において、もし仮に移動局３８０２と移動局３８０３が各々の制御信号を同一無線周波数を用いて基地局３８０１へ送信していたとしたら、受信電力４０２１と受信電力４０３１が同一無線周波数、即ち第４無線周波数において受信され、当該第４無線周波数における無線伝搬環境が悪化していた。しかしながら、図４０においては、移動局３８０２と移動局３８０３がそれぞれ異なる無線周波数を用いて、それぞれの制御信号を送信しているので、第４無線周波数における無線伝搬環境の悪化を抑制することができる。
このように、移動局毎に異なる無線周波数を用いてＡＣＫ／ＮＡＫ信号などの制御信号を送信することができるようにすることにより、特定の無線周波数における無線伝搬環境の悪化を抑制することが可能である。
なお、図４０に示したその他の受信電力４０５１〜４０５３は通常、時々刻々と変化する。そのため、各移動局３８０２〜３８０４は、各々の制御信号を送信する無線周波数を通信中に変更することが有効である。特に、事前に基地局制御装置などの上位装置から基地局と移動局に対して、当該制御信号を送信する無線周波数を変更するタイミングを通知し、基地局と移動局とで同時に当該無線周波数を変更することが有効である。前記タイミングは、基地局が有するカウンタと、移動局が有するカウンタを基地局と移動局との間の通信で同期させてもよいし、移動局に搭載されたＧＰＳ装置を用いて当該同期を行ってもよい。
【０２１６】
実施の形態２０．
実施の形態１では、移動局へ送信すべきデータを第１及び第２のグループに振り分けて、第１グループのデータおよび第２グループのデータそれぞれにＣＲＣを付加する処理やＦＥＣ処理等を行い、当該処理された第１グループのデータを第１無線周波数に符号多重される一つ又は複数のシェアド物理チャネルにマッピングし、当該処理された第２グループのデータを第２無線周波数に符号多重される一つ又は複数のシェアド物理チャネルにマッピングした。
本実施の形態においては、基地局と移動局がＯＦＤＭ(Orthogonal Frequency Division Multiplex)により通信する場合において、ＣＲＣが付加された第１グループのデータがマッピングされる一つ又は複数のシェアド物理チャネルが第１無線周波数に設けられる一つ又は複数のサブキャリアにより送信され、ＣＲＣが付加された第２グループのデータがマッピングされる一つ又は複数のシェアド物理チャネルが第２無線周波数に設けられる一つ又は複数のサブキャリアにより送信される場合について例示する。【０２１７】
図４１はＯＦＤＭにおけるサブキャリアを例示する図である。図４１において４１ａ〜４１ｎはそれぞれ一つのサブキャリアである。図４１では、第１グループのデータがマッピングされる複数のシェアド物理チャネル４１０１及び４１０２を、複数のサブキャリア４１ａ〜４１ｃを用いて送信し、第２グループのデータがマッピングされる複数のシェアド物理チャネル４１０３及び４１０４を、複数のサブキャリア４１ｅ〜４１ｇを用いて送信している。
【０２１８】
なお、１つのシェアド物理チャネルを送信するために、１つのみのサブキャリアを用いてもよいし、複数のサブキャリアを同時に用いてもよい。図４１の例では、シェアド物理チャネル４１０１及び４１０２の各々が３つサブキャリア４１ａ〜４１ｃを用いて送信され、シェアド物理チャネル４１０４が３つのサブキャリア４１ｅ〜４１ｇを用いて送信され、シェアド物理チャネル４１０３が１つのサブキャリア４１ｇを用いて送信されている。
このようなＯＦＤＭを用いた場合には、干渉量の大きいサブキャリアを用いて送信されるデータ量を少なくし、当該サブキャリアで送信するデータに対してリペティション（ビット繰り返し）を行うことが有効である。【０２１９】
なおここでは、本発明をサブキャリアが重なるＯＦＤＭに適用した場合を例示したが、ＯＦＤＭに代えてサブキャリアが重ならないＩＦＤＭＡ（インターリーブドＦＤＭＡ）に適用してもよい。【０２２０】
本発明の図示実施例を以上説明したが、この発明はここで述べた各種の好ましい実施形態に限定されるものではなく、この開示に基づいて当業者によって認識されるような修正、削除、（例えば各種実施形態をクロスする側面の）組合せ、適用および／又は変更を含む如何なる全ての実施形態を含むものである。クレームの限定事項はクレーム中で用いられた用語に基づいて広く解釈されるべきであり、本件明細書中或いは本願のプロセキューション中で言及された実施例に限定されるものではなく、それら実施例は排他的なものではないと解釈されるべきである。
【産業上の利用可能性】
【０２２１】
本発明に係る無線通信方法は、携帯電話機などにおいて利用することができる。
【図１】
0004494465.tif 000002
【図２】
0004494465.tif 000003
【図３】
0004494465.tif 000004
【図４】
0004494465.tif 000005
【図５】
0004494465.tif 000006
【図６】
0004494465.tif 000007
【図７】
0004494465.tif 000008
【図８】
0004494465.tif 000009
【図９】
0004494465.tif 000010
【図１０】
0004494465.tif 000011
【図１１】
0004494465.tif 000012
【図１２】
0004494465.tif 000013
【図１３】
0004494465.tif 000014
【図１４】
0004494465.tif 000015
【図１５】
0004494465.tif 000016
【図１６】
0004494465.tif 000017
【図１７】
0004494465.tif 000018
【図１８】
0004494465.tif 000019
【図１９】
0004494465.tif 000020
【図２０】
0004494465.tif 000021
【図２１】
0004494465.tif 000022
【図２２】
0004494465.tif 000023
【図２３】
0004494465.tif 000024
【図２４】
0004494465.tif 000025
【図２５】
0004494465.tif 000026
【図２６】
0004494465.tif 000027
【図２７】
0004494465.tif 000028
【図２８】
0004494465.tif 000029
【図２９】
0004494465.tif 000030
【図３０】
0004494465.tif 000031
【図３１】
0004494465.tif 000032
【図３２】
0004494465.tif 000033
【図３３】
0004494465.tif 000034
【図３４】
0004494465.tif 000035
【図３５】
0004494465.tif 000036
【図３６】
0004494465.tif 000037
【図３７】
0004494465.tif 000038
【図３８】
0004494465.tif 000039
【図３９】
0004494465.tif 000040
【図４０】
0004494465.tif 000041
【図４１】
0004494465.tif 000042